(57)【要約】  本願は、スペクトルの使用を指示及び判定する方法、並びに装置を提供する。この方法は、Ｐｃｅｌｌで、第１のワイヤレスネットワーク識別子をＵＥに送信するステップであって、Ｐｃｅｌｌで使用されるキャリアは非共有スペクトルのキャリアである、ステップと、Ｓｃｅｌｌで、第１のワイヤレスネットワーク識別子と同じ第２のワイヤレスネットワーク識別子をＵＥに送信し、それにより、ＵＥが、ＵＥがＳｃｅｌｌでネットワーク側と通信することができるかどうかを判定するステップであって、Ｓｃｅｌｌで使用されるキャリアは共有スペクトルのキャリアであり、第１のワイヤレスネットワーク識別子／第２のワイヤレスネットワーク識別子は１つのワイヤレスネットワーク事業者を一意に識別する、ステップとを含む。本願は、複数の事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
2017505041.tif 000002
【特許請求の範囲】
【請求項１】
ネットワーク側がスペクトルの使用を指示する方法であって、
プライマリセルＰｃｅｌｌで、第１のワイヤレスネットワーク識別子をＵＥに送信するステップであって、前記Ｐｃｅｌｌで使用されるキャリアは非共有スペクトルのキャリアである、ステップと、
セカンダリセルＳｃｅｌｌで、前記第１のワイヤレスネットワーク識別子と同じ第２のワイヤレスネットワーク識別子を前記ＵＥに送信し、それにより、前記ＵＥが、前記ＵＥが前記Ｓｃｅｌｌでネットワーク側と通信するかどうかを判定するステップであって、前記Ｓｃｅｌｌで使用されるキャリアは共有スペクトルのキャリアであり、前記第１のワイヤレスネットワーク識別子／前記第２のワイヤレスネットワーク識別子は１つのワイヤレスネットワーク事業者を一意に識別する、ステップと
を含む方法。
【請求項２】
前記Ｐｃｅｌｌで前記第１のワイヤレスネットワークをＵＥに送信し、前記Ｓｃｅｌｌで前記第２のワイヤレスネットワーク識別子を前記ＵＥに送信する前記ステップの後に、
前記ＵＥから返信されるとともに、前記Ｓｃｅｌｌの信号測定結果を含んでいるフィードバック情報が受信されないと判定した場合、又は、前記ＵＥから返信されるとともに、前記Ｓｃｅｌｌの信号測定結果が無効であることを示すフィードバック情報が受信されたと判定した場合、又は、前記ＵＥから返信されるとともに、前記Ｓｃｅｌｌのセル識別子の変更を命じるフィードバック情報が受信されたと判定した場合は、前記ＵＥに対してリソース構成及びデータスケジューリングを行うことを省略するか、又は前記Ｓｃｅｌｌの前記セル識別子を変更するステップと、
前記ＵＥから返信されるとともに、前記Ｓｃｅｌｌの信号測定結果を含んでいる前記フィードバック情報が受信された場合、前記Ｓｃｅｌｌの信号測定結果に従って、前記ＵＥに対してリソース構成及びデータスケジューリングを行うステップと
をさらに含む請求項１に記載の方法。
【請求項３】
前記Ｓｃｅｌｌで前記第２のワイヤレスネットワーク識別子を前記ＵＥに送信する前記ステップが、詳細には、
前記Ｓｃｅｌｌで、第１のダウンリンク共有チャネルを使用して前記第２のワイヤレスネットワーク識別子を前記ＵＥに送信するステップであって、前記第１のダウンリンク共有チャネルに対応するスケジューリング情報の伝送チャネルは、制御チャネルの第１の共通探索空間にあり、制御チャネルの前記第１の共通探索空間は、前記Ｐｃｅｌｌの共通探索空間若しくは前記Ｓｃｅｌｌの共通探索空間である、ステップ、又は、
前記Ｓｃｅｌｌで、第２のダウンリンク共有チャネルを使用して前記第２のワイヤレスネットワーク識別子を前記ＵＥに送信にするステップであって、前記第２のダウンリンク共有チャネルに対応するリソースは、前記Ｓｃｅｌｌのセル識別子に対応する事前設定されたリソースである、ステップ、又は、
前記Ｓｃｅｌｌで、第３のダウンリンク共有チャネルを使用して、前記第２のワイヤレスネットワーク識別子と、前記第２のワイヤレスネットワーク識別子を識別するために使用される事前設定されたシーケンスとを前記ＵＥに送信するステップ
を含む請求項１に記載の方法。
【請求項４】
前記Ｓｃｅｌｌで、前記第３のダウンリンク共有チャネルを使用して、前記第２のワイヤレスネットワーク識別子と、前記第２のワイヤレスネットワーク識別子を識別するために使用される前記事前設定されたシーケンスとを前記ＵＥに送信する前記ステップが、詳細には、
前記第２のワイヤレスネットワーク識別子及び前記事前設定されたシーケンスを、前記第３のダウンリンク共有チャネルで、前記事前設定されたシーケンスを前記第２のワイヤレスネットワーク識別子を使用してスクランブルして、前記ＵＥに送信するステップであって、前記事前設定されたシーケンスは、下記のシーケンス、すなわちプライマリ同期信号ＰＳＳシーケンス、セカンダリ同期信号ＳＳＳシーケンス、及びセル固有参照信号ＣＲＳシーケンスのうちのいずれか１つ又は複数である、ステップを含む請求項３に記載の方法。
【請求項５】
前記第１のワイヤレスネットワーク識別子／前記第２のワイヤレスネットワーク識別子が、公衆陸上モバイルネットワーク識別子ＰＬＭＮ  ＩＤ中のモバイル国コードＭＣＣ及びモバイルネットワークコードＭＮＣであるか、又は、前記第１のワイヤレスネットワーク識別子／前記第２のワイヤレスネットワーク識別子がＰＬＭＮ  ＩＤ中のＭＮＣである請求項１に記載の方法。
【請求項６】
前記Ｐｃｅｌｌで、前記第１のワイヤレスネットワーク識別子をＵＥに送信する前記ステップが、詳細には、
システム情報ブロックＳＩＢ−１をブロードキャストすることにより、前記Ｐｃｅｌｌで前記第１のワイヤレスネットワーク識別子を前記ＵＥに送信するステップを含み、
前記Ｓｃｅｌｌで前記第２のワイヤレスネットワーク識別子を前記ＵＥに送信する前記ステップが、詳細には、
前記ブロードキャストされたシステム情報ブロックＳＩＢ−１を使用して、前記Ｓｃｅｌｌで前記第２のワイヤレスネットワーク識別子を前記ＵＥに送信するステップを含む請求項１に記載の方法。
【請求項７】
ユーザ機器ＵＥがスペクトルの使用を判定する方法であって、
プライマリセルＰｃｅｌｌでネットワーク側から送信される第１のワイヤレスネットワーク識別子を受信し、セカンダリセルＳｃｅｌｌで前記ネットワーク側から送信される第２のワイヤレスネットワーク識別子を探索するステップであって、前記Ｐｃｅｌｌで使用されるキャリアは非共有スペクトルのキャリアであり、前記Ｓｃｅｌｌで使用されるキャリアは共有スペクトルのキャリアである、ステップと、
前記Ｓｃｅｌｌで前記ネットワーク側から送信された前記第２のワイヤレスネットワーク識別子が受信され、且つ、前記第２のワイヤレスネットワーク識別子が、前記Ｐｃｅｌｌで前記ネットワーク側から送信された前記第１のワイヤレスネットワーク識別子と一致すると判定する場合、前記ネットワーク側との通信を前記Ｓｃｅｌｌで行うと判定するステップと、
前記Ｓｃｅｌｌで前記ネットワーク側から送信された前記第２のワイヤレスネットワーク識別子が受信されない場合、又は、前記Ｓｃｅｌｌで前記ネットワーク側から送信された前記第２のワイヤレスネットワーク識別子が受信され、且つ、前記第２のワイヤレスネットワーク識別子が、前記Ｐｃｅｌｌで前記ネットワーク側から送信された前記第１のワイヤレスネットワーク識別子と一致しないと判定する場合、前記ネットワーク側との通信を前記Ｓｃｅｌｌで行わないと判定するステップと
を含む方法。
【請求項８】
前記ネットワーク側との通信を前記Ｓｃｅｌｌで行うと判定した場合に、前記Ｓｃｅｌｌの信号測定結果を前記ネットワーク側にフィードバックするステップをさらに含むか、又は、
前記ネットワーク側との通信を前記Ｓｃｅｌｌで行わないと判定し、前記Ｓｃｅｌｌの信号測定結果を前記ネットワーク側にフィードバックすることを回避するか、若しくは、前記ネットワーク側に、前記Ｓｃｅｌｌの信号測定結果が無効であることを示すフィードバック情報をフィードバックするか、若しくは、前記ネットワーク側に、前記Ｓｃｅｌｌのセル識別子の変更を命じるフィードバック情報をフィードバックするステップをさらに含む請求項７に記載の方法。
【請求項９】
前記セカンダリセルＳｃｅｌｌで前記ネットワーク側から送信される前記第２のワイヤレスネットワーク識別子を探索する前記ステップが、詳細には、
第１のダウンリンク共有チャネルを使用して、前記Ｓｃｅｌｌで前記ネットワーク側から送信される前記第２のワイヤレスネットワーク識別子を探索するステップであって、前記第１のダウンリンク共有チャネルに対応するスケジューリング情報の伝送チャネルは、制御チャネルの第１の共通探索空間にあり、制御チャネルの前記第１の共通探索空間は、前記Ｐｃｅｌｌの共通探索空間若しくは前記Ｓｃｅｌｌの共通探索空間である、ステップ、又は、
第２のダウンリンク共有チャネルを使用して、前記Ｓｃｅｌｌで前記ネットワーク側から送信される前記第２のワイヤレスネットワーク識別子を探索するステップであって、前記第２のダウンリンク共有チャネルに対応するリソースは、前記Ｓｃｅｌｌのセル識別子に対応する事前設定されたリソースである、ステップ、又は、
第３のダウンリンク共有チャネルで、記憶されている事前設定されたシーケンスに従って、前記Ｓｃｅｌｌで前記ネットワーク側から送信される前記第２のワイヤレスネットワーク識別子を探索するステップ
を含む請求項７に記載の方法。
【請求項１０】
前記第３のダウンリンク共有チャネルで、前記記憶されている事前設定されたシーケンスに従って、前記Ｓｃｅｌｌで前記ネットワーク側から送信される前記第２のワイヤレスネットワーク識別子を探索する前記ステップが、詳細には、
前記Ｐｃｅｌｌで前記ネットワーク側から送信される前記第１のワイヤレスネットワーク識別子を使用して、受信信号をスクランブル解除するステップと、
前記のスクランブル解除された信号が、前記記憶されている事前設定されたシーケンスに関係付けられていることを判定し、前記Ｓｃｅｌｌで前記ネットワーク側から送信される前記第２のワイヤレスネットワーク識別子が受信されたと判定し、前記第２のワイヤレスネットワーク識別子が、前記Ｐｃｅｌｌで前記ネットワーク側から送信された前記第１のワイヤレスネットワーク識別子と一致すると判定するステップであって、前記事前設定されたシーケンスは、下記のシーケンス、すなわちプライマリ同期信号ＰＳＳシーケンス、セカンダリ同期信号ＳＳＳシーケンス、及びセル固有参照信号ＣＲＳシーケンスのうちのいずれか１つ又は複数である、ステップと
を含む請求項９に記載の方法。
【請求項１１】
前記第１のワイヤレスネットワーク識別子／前記第２のワイヤレスネットワーク識別子が、公衆陸上モバイルネットワーク識別子ＰＬＭＮ  ＩＤ中のモバイル国コードＭＣＣ及びモバイルネットワークコードＭＮＣであるか、又は、前記第１のワイヤレスネットワーク識別子／前記第２のワイヤレスネットワーク識別子がＰＬＭＮ  ＩＤ中のＭＮＣである請求項７に記載の方法。
【請求項１２】
前記Ｐｃｅｌｌで前記ネットワーク側から送信される前記第１のワイヤレスネットワーク識別子を受信する前記ステップが、詳細には、システム情報ブロックＳＩＢ−１をブロードキャストすることにより、前記Ｐｃｅｌｌで前記ネットワーク側から送信される前記第１のワイヤレスネットワーク識別子を受信するステップを含み、
Ｓｃｅｌｌで前記ネットワーク側から送信される第２のワイヤレスネットワーク識別子を探索する前記ステップが、詳細には、前記ブロードキャストされたシステム情報ブロックＳＩＢ−１を使用して、前記Ｓｃｅｌｌで前記ネットワーク側から送信される前記第２のワイヤレスネットワーク識別子を探索するステップを含む請求項７に記載の方法。
【請求項１３】
ネットワーク側がスペクトルにおけるセル識別子Ｃｅｌｌ−ＩＤを判定する方法であって、
時間整合を行うことを判定した場合に、整合システム時間を、記憶されているＭ個の時間区間に従って時間区間内の時間位置と合わせ、前記記憶されているＭ個の時間区間の循環順序に従って、前記事前設定された循環順序で前記Ｍ個の時間区間がシステム時間に対応する関係を確立するステップであって、Ｍは１より大きい整数である、ステップと、
ユーザ機器ＵＥとの通信を共有スペクトルのキャリアでＣｅｌｌ−ＩＤを使用して行う必要があると判定し、前記の確立された、前記事前設定された循環順序で前記Ｍ個の時間区間が前記システム時間に対応する関係に従って、現在のシステム時間に対応する時間区間を判定し、前記記憶されているＭ個の時間区間とＣｅｌｌ−ＩＤとの間の対応関係に従って、前記時間区間に対応するＣｅｌｌ−ＩＤを判定し、前記の判定されたＣｅｌｌ−ＩＤを使用して前記共有スペクトルの前記キャリアで前記ＵＥとの通信を行うステップであって、異なるワイヤレスネットワーク事業者ごとに、同じ時間区間に対応するＣｅｌｌ−ＩＤは異なる、ステップと
を含む方法。
【請求項１４】
前記記憶されているＭ個の時間区間、前記Ｍ個の時間区間の前記循環順序、及び前記Ｍ個の時間区間と前記Ｃｅｌｌ−ＩＤとの間の対応関係を前記ＵＥに送付するステップ
をさらに含む請求項１３に記載の方法。
【請求項１５】
タイミングの瞬間が到達した場合に、現在のシステム時間の時間区間と、その時間区間における現在のシステム時間の時間位置ｔとを判定し、前記の判定された時間位置ｔと、前記現在のシステム時間の前記時間区間に対応するＣｅｌｌ−ＩＤとを前記ＵＥにブロードキャストするステップ、又は、
前記ＵＥの時間要求が受信された場合に、現在のシステム時間の時間区間と、その時間区間における現在のシステム時間の時間位置ｔとを判定し、前記の判定された時間位置ｔと、前記現在のシステム時間の前記時間区間に対応するＣｅｌｌ−ＩＤとを前記ＵＥに送信するステップ、又は、
前記ＵＥとの接続を確立する必要があると判定した場合に、現在のシステム時間の時間区間Ｔと、その時間区間における現在のシステム時間の時間位置ｔとを判定し、前記の判定された時間位置ｔと、前記現在のシステム時間の前記時間区間に対応するＣｅｌｌ−ＩＤとを前記ＵＥに送信するステップ
をさらに含む請求項１３に記載の方法。
【請求項１６】
前記ＵＥとの通信が、前記時間区間に対応する前記Ｃｅｌｌ−ＩＤを使用して前記共有スペクトルの前記キャリアで行われる場合に、
前記時間区間における前記現在のシステム時間の時間位置ｔを前記ＵＥに送信するステップ
をさらに含む請求項１３に記載の方法。
【請求項１７】
ユーザ機器ＵＥがスペクトルにおけるセル識別子Ｃｅｌｌ−ＩＤを判定する方法であって、
時間整合を行うことを判定した場合に、整合システム時間を、記憶されているＭ個の時間区間のうちの時間区間内の時間位置と合わせ、前記記憶されているＭ個の時間区間の循環順序に従って、前記事前設定された循環順序で前記Ｍ個の時間区間がシステム時間に対応する関係を確立するステップであって、Ｍは１より大きい整数である、ステップと、
ネットワーク側との通信を共有スペクトルのキャリアでＣｅｌｌ−ＩＤを使用して行う必要があると判定した場合に、前記の確立された、前記事前設定された循環順序で前記Ｍ個の時間区間が前記システム時間に対応する関係に従って、現在のシステム時間に対応する時間区間を判定し、前記記憶されているＭ個の時間区間とＣｅｌｌ−ＩＤとの間の対応関係に従って、前記時間区間に対応するＣｅｌｌ−ＩＤを判定し、前記の判定されたＣｅｌｌ−ＩＤを使用して前記共有スペクトルの前記キャリアで前記ネットワーク側との通信を行うステップと
を含む方法。
【請求項１８】
時間整合を行うことを判定する前記ステップが、詳細には、
前記ネットワーク側が前記ＵＥとの通信を共有スペクトルのキャリアでＣｅｌｌ−ＩＤを使用して行う必要があると判定した場合に前記ネットワーク側から送信されるＣｅｌｌ−ＩＤ及び時間位置ｔを受信した場合、又は、タイミングの瞬間が到達した場合に前記ネットワーク側から送信されるＣｅｌｌ−ＩＤ及び時間位置ｔを受信した場合、又は、前記ＵＥの要求に応じて前記ネットワーク側から送信されるＣｅｌｌ−ＩＤ及び時間位置ｔを受信した場合、又は、前記ネットワーク側が前記ＵＥに接続することを判定した場合に前記ネットワーク側から送信されるＣｅｌｌ−ＩＤ及び時間位置ｔを受信した場合に、時間整合を行うことを判定するステップを含み、
整合システム時間を、記憶されているＭ個の時間区間のうちの時間区間内の時間位置と合わせる前記ステップが、詳細には、
前記記憶されているＭ個の時間区間と前記Ｃｅｌｌ−ＩＤとの間の前記対応関係に従って、前記の受信されたＣｅｌｌ−ＩＤに対応する時間区間を判定し、前記整合システム時間を、前記の判定された時間区間内の時間位置ｔと合わせるステップを含む請求項１７に記載の方法。
【請求項１９】
ネットワーク側装置であって、
プライマリセルＰｃｅｌｌで、第１のワイヤレスネットワーク識別子をＵＥに送信するように構成された第１の送信部であって、前記Ｐｃｅｌｌで使用されるキャリアは、非共有スペクトルのキャリアである、第１の送信部と、
セカンダリセルＳｃｅｌｌで、前記第１のワイヤレスネットワーク識別子と同じ第２のワイヤレスネットワーク識別子を前記ＵＥに送信し、それにより、前記ＵＥが、前記ＵＥがネットワーク側と前記Ｓｃｅｌｌで通信するかどうかを判定するように構成された第２の送信部であって、前記Ｓｃｅｌｌで使用されるキャリアは共有スペクトルのキャリアであり、前記第１のワイヤレスネットワーク識別子／前記第２のワイヤレスネットワーク識別子は１つのワイヤレスネットワーク事業者を一意に識別する、第２の送信部と
を備えるネットワーク側装置。
【請求項２０】
前記第１のワイヤレスネットワークが前記Ｐｃｅｌｌで前記ＵＥに送信され、前記第２のワイヤレスネットワーク識別子が前記Ｓｃｅｌｌで前記ＵＥに送信された後、前記ＵＥから返信されるとともに、前記Ｓｃｅｌｌの信号測定結果を含んでいるフィードバック情報が受信されないと判定した場合、又は、前記ＵＥから返信されるとともに、前記Ｓｃｅｌｌの信号測定結果が無効であることを示すフィードバック情報が受信されたと判定した場合、又は、前記ＵＥから返信されるとともに、前記Ｓｃｅｌｌのセル識別子の変更を命じるフィードバック情報が受信されたと判定した場合には、前記ＵＥに対してリソース構成及びデータスケジューリングを行うことを省略するか、又は前記Ｓｃｅｌｌの前記セル識別子を変更するように構成されたスケジューリング中止部と、
前記第１のワイヤレスネットワーク識別子が前記Ｐｃｅｌｌで前記ＵＥに送信され、前記第２のワイヤレスネットワーク識別子が前記Ｓｃｅｌｌで前記ＵＥに送信された後、前記ＵＥから返信されるとともに、前記Ｓｃｅｌｌの信号測定結果を含んでいる前記フィードバック情報が受信されると、前記Ｓｃｅｌｌの前記信号測定結果に従って、前記ＵＥに対してリソース構成及びデータスケジューリングを行うように構成されたスケジューリング部と
請求項１９に記載の装置。
【請求項２１】
前記第２の送信部が、詳細には、前記Ｓｃｅｌｌで第１のダウンリンク共有チャネルを使用して前記第２のワイヤレスネットワーク識別子を前記ＵＥに送信するように構成され、前記第１のダウンリンク共有チャネルに対応するスケジューリング情報の伝送チャネルは、制御チャネルの第１の共通探索空間にあり、制御チャネルの前記第１の共通探索空間は、前記Ｐｃｅｌｌの共通探索空間若しくは前記Ｓｃｅｌｌの共通探索空間であるか、又は、
前記第２の送信部が、詳細には、前記Ｓｃｅｌｌで第２のダウンリンク共有チャネルを使用して前記第２のワイヤレスネットワーク識別子を前記ＵＥに送信するように構成され、前記第２のダウンリンク共有チャネルに対応するリソースは、前記Ｓｃｅｌｌのセル識別子に対応する事前設定されたリソースであるか、又は、
前記第２の送信部が、詳細には、前記Ｓｃｅｌｌで、第３のダウンリンク共有チャネルを使用して、前記第２のワイヤレスネットワーク識別子と、前記第２のワイヤレスネットワーク識別子を識別するために使用される事前設定されたシーケンスとを前記ＵＥに送信するように構成される請求項１９に記載の装置。
【請求項２２】
前記第２の送信部が、詳細には、前記第２のワイヤレスネットワーク識別子及び前記事前設定されたシーケンスを、前記第３のダウンリンク共有チャネルで、前記事前設定されたシーケンスを前記第２のワイヤレスネットワーク識別子を使用してスクランブルして前記ＵＥに送信するように構成され、前記事前設定されたシーケンスは、下記のシーケンス、すなわちプライマリ同期信号ＰＳＳシーケンス、セカンダリ同期信号ＳＳＳシーケンス、及びセル固有参照信号ＣＲＳシーケンスのうちのいずれか１つ又は複数であり、前記第２の送信部により使用される前記事前設定されたシーケンスは、下記のシーケンス、すなわちプライマリ同期信号ＰＳＳシーケンス、セカンダリ同期信号ＳＳＳシーケンス、及びセル固有参照信号ＣＲＳシーケンスのうちのいずれか１つ又は複数である請求項２１に記載の装置。
【請求項２３】
前記第１の送信部が、詳細には、システム情報ブロックＳＩＢ−１をブロードキャストすることにより、前記Ｐｃｅｌｌで前記第１のワイヤレスネットワーク識別子を前記ＵＥに送信するように構成され、
前記第２の送信部が、詳細には、前記ブロードキャストされたシステム情報ブロックＳＩＢ−１を使用して、前記Ｓｃｅｌｌで前記第２のワイヤレスネットワーク識別子を前記ＵＥに送信するように構成される請求項２１に記載の装置。
【請求項２４】
スペクトルの使用を判定するユーザ機器ＵＥであって、
プライマリセルＰｃｅｌｌでネットワーク側から送信される第１のワイヤレスネットワーク識別子を受信し、セカンダリセルＳｃｅｌｌで前記ネットワーク側から送信される第２のワイヤレスネットワーク識別子を探索するように構成された探索部であって、前記Ｐｃｅｌｌで使用されるキャリアは非共有スペクトルのキャリアであり、前記Ｓｃｅｌｌで使用されるキャリアは共有スペクトルのキャリアである、探索部と、
前記Ｓｃｅｌｌで前記ネットワーク側から送信された前記第２のワイヤレスネットワーク識別子が受信され、且つ、前記第２のワイヤレスネットワーク識別子が、前記Ｐｃｅｌｌで前記ネットワーク側から送信された前記第１のワイヤレスネットワーク識別子と一致すると判定する場合、前記ネットワーク側との通信を前記Ｓｃｅｌｌで行うと判定するように構成された第１の判定部と、
前記Ｓｃｅｌｌで前記ネットワーク側から送信された前記第２のワイヤレスネットワーク識別子が受信されない場合、又は前記Ｓｃｅｌｌで前記ネットワーク側から送信された前記第２のワイヤレスネットワーク識別子が受信され、且つ、前記第２のワイヤレスネットワーク識別子が、前記Ｐｃｅｌｌで前記ネットワーク側から送信された前記第１のワイヤレスネットワーク識別子と一致しないと判定する場合、前記ネットワーク側との通信を前記Ｓｃｅｌｌで行わないと判定するように構成された第２の判定部と
を備えるＵＥ。
【請求項２５】
前記ネットワーク側との通信を前記Ｓｃｅｌｌで行うと判定した場合、前記Ｓｃｅｌｌの信号測定結果を前記ネットワーク側にフィードバックするように構成された第１のフィードバック部、又は、
前記ネットワーク側との通信を前記Ｓｃｅｌｌで行わないと判定した場合、前記Ｓｃｅｌｌの信号測定結果を前記ネットワーク側にフィードバックすることを回避するか、又は、前記ネットワーク側に、前記Ｓｃｅｌｌの信号測定結果が無効であることを示すフィードバック情報をフィードバックするか、又は、前記ネットワーク側に、前記Ｓｃｅｌｌのセル識別子の変更を命じるフィードバック情報をフィードバックするように構成された第２のフィードバック部
をさらに備える請求項２４に記載のＵＥ。
【請求項２６】
前記探索部が、詳細には、第１のダウンリンク共有チャネルを使用して、前記Ｓｃｅｌｌで前記ネットワーク側から送信される前記第２のワイヤレスネットワーク識別子を探索するように構成され、前記第１のダウンリンク共有チャネルに対応するスケジューリング情報の伝送チャネルは、制御チャネルの第１の共通探索空間にあり、制御チャネルの前記第１の共通探索空間は、前記Ｐｃｅｌｌの共通探索空間若しくは前記Ｓｃｅｌｌの共通探索空間であるか、又は、
前記探索部が、詳細には、第２のダウンリンク共有チャネルを使用して、前記Ｓｃｅｌｌで前記ネットワーク側から送信される前記第２のワイヤレスネットワーク識別子を探索するように構成され、前記第２のダウンリンク共有チャネルに対応するリソースは、前記Ｓｃｅｌｌのセル識別子に対応する事前設定されたリソースであるか、又は、
前記探索部が、詳細には、第３のダウンリンク共有チャネルで、記憶されている事前設定されたシーケンスに従って、前記Ｓｃｅｌｌで前記ネットワーク側から送信される前記第２のワイヤレスネットワーク識別子を探索するように構成される
請求項２４に記載のＵＥ。
【請求項２７】
前記探索部が、詳細には、前記Ｐｃｅｌｌで前記ネットワーク側から送信される前記第１のワイヤレスネットワーク識別子を使用して、受信信号をスクランブル解除するように構成され、
前記第１の判定部が、詳細には、前記のスクランブル解除された信号が、前記記憶されている事前設定されたシーケンスに関係付けられていることを判定し、前記Ｓｃｅｌｌで前記ネットワーク側から送信される前記第２のワイヤレスネットワーク識別子が受信されたと判定し、前記第２のワイヤレスネットワーク識別子が、前記Ｐｃｅｌｌで前記ネットワーク側から送信される前記第１のワイヤレスネットワーク識別子と一致すると判定するように構成され、前記事前設定されたシーケンスは、下記のシーケンス、すなわち同期信号ＰＳＳシーケンス、セカンダリ同期信号ＳＳＳシーケンス、及びセル固有参照信号ＣＲＳシーケンスのうちのいずれか１つ又は複数である請求項２６に記載のＵＥ。
【請求項２８】
前記探索部が、詳細には、システム情報ブロックＳＩＢ−１をブロードキャストすることにより、前記Ｐｃｅｌｌで前記ネットワーク側から送信される前記第１のワイヤレスネットワーク識別子を受信し、前記Ｓｃｅｌｌで前記ネットワーク側から送信される前記第２のワイヤレスネットワーク識別子を探索するように構成される請求項２４に記載のＵＥ。
【請求項２９】
ネットワーク側装置であって、
時間整合を行うことを判定した場合に、整合システム時間を、記憶されているＭ個の時間区間に従って時間区間内の時間位置と合わせ、前記記憶されているＭ個の時間区間の循環順序に従って、前記事前設定された循環順序で前記Ｍ個の時間区間がシステム時間に対応する関係を確立するように構成された時間整合部であって、Ｍは１より大きい整数である、時間整合部と、
ユーザ機器ＵＥとの通信を共有スペクトルのキャリアでＣｅｌｌ−ＩＤを使用して行う必要があると判定した場合に、前記の確立された、前記事前設定された循環順序で前記Ｍ個の時間区間が前記システム時間に対応する関係に従って、現在のシステム時間に対応する時間区間を判定し、前記記憶されているＭ個の時間区間とＣｅｌｌ−ＩＤとの間の対応関係に従って、前記時間区間に対応するＣｅｌｌ−ＩＤを判定し、前記の判定されたＣｅｌｌ−ＩＤを使用して、前記共有スペクトルの前記キャリアで前記ＵＥとの通信を行うように構成された通信部であって、異なるワイヤレスネットワーク事業者ごとに、同じ時間区間に対応するＣｅｌｌ−ＩＤは異なる、通信部と
を備えるネットワーク側装置。
【請求項３０】
前記記憶されているＭ個の時間区間、前記Ｍ個の時間区間の前記循環順序、及び前記Ｍ個の時間区間と前記Ｃｅｌｌ−ＩＤとの間の前記対応関係を前記ＵＥに送付するように構成された送付部をさらに備える請求項２９に記載の装置。
【請求項３１】
タイミングの瞬間が到達した場合に、現在のシステム時間の時間区間と、その時間区間における現在のシステム時間の時間位置ｔとを判定し、前記の判定された時間位置ｔと、前記現在のシステム時間の前記時間区間に対応するＣｅｌｌ−ＩＤとを前記ＵＥにブロードキャストするように構成された第１の通知部、又は、
前記ＵＥの時間要求が受信された場合に、現在のシステム時間の時間区間と、その時間区間における現在のシステム時間の時間位置ｔとを判定し、前記の判定された時間位置ｔと、前記現在のシステム時間の前記時間区間に対応するＣｅｌｌ−ＩＤとを前記ＵＥに送信するように構成された第２の通知部、又は、
前記ＵＥとの接続を確立する必要があると判定した場合に、現在のシステム時間の時間区間Ｔと、その時間区間における現在のシステム時間の時間位置ｔとを判定し、前記の判定された時間位置ｔと、前記現在のシステム時間の前記時間区間に対応するＣｅｌｌ−ＩＤとを前記ＵＥに送信するように構成された第３の通知部
請求項２９に記載の装置。
【請求項３２】
前記通信部がさらに、前記時間区間に対応する前記Ｃｅｌｌ−ＩＤを使用して、前記共有スペクトルの前記キャリアで前記ＵＥとの通信を行う場合に、
前記時間区間における前記現在のシステム時間の時間位置ｔを前記ＵＥに送信するように構成される請求項２９に記載のＵＥ。
【請求項３３】
ユーザ機器ＵＥであって、
時間整合を行うことを判定した場合に、整合システム時間を、記憶されているＭ個の時間区間のうちの時間区間内の時間位置と合わせ、前記記憶されているＭ個の時間区間の循環順序に従って、前記事前設定された循環順序で前記Ｍ個の時間区間がシステム時間に対応する関係を確立するように構成された時間整合部であって、Ｍは１より大きい整数である、時間整合部と、
ネットワーク側との通信を共有スペクトルのキャリアでＣｅｌｌ−ＩＤを使用して行う必要があると判定した場合に、前記の確立された、前記事前設定された循環順序で前記Ｍ個の時間区間が前記システム時間に対応する関係に従って、現在のシステム時間に対応する時間区間を判定し、前記記憶されているＭ個の時間区間とＣｅｌｌ−ＩＤとの間の対応関係に従って、前記時間区間に対応するＣｅｌｌ−ＩＤを判定し、前記の判定されたＣｅｌｌ−ＩＤを使用して前記共有スペクトルの前記キャリアで前記ネットワーク側との通信を行うように構成された通信部と
を備えるＵＥ。
【請求項３４】
前記ネットワーク側が前記ＵＥとの通信を共有スペクトルのキャリアでＣｅｌｌ−ＩＤを使用して行う必要があると判定した場合に前記ネットワーク側から送信されるＣｅｌｌ−ＩＤ及び時間位置ｔを受信した場合、又は、タイミングの瞬間が到達した場合に前記ネットワーク側から送信されるＣｅｌｌ−ＩＤ及び時間位置ｔを受信した場合、又は、前記ＵＥの要求に応じて前記ネットワーク側から送信されるＣｅｌｌ−ＩＤ及び時間位置ｔを受信した場合、又は、前記ネットワーク側が前記ＵＥに接続することを判定した場合に前記ネットワーク側から送信されるＣｅｌｌ−ＩＤ及び時間位置ｔを受信した場合に、前記時間整合部が、時間整合を行うことを判定し、前記記憶されているＭ個の時間区間と前記Ｃｅｌｌ−ＩＤとの間の前記対応関係に従って、前記の受信されたＣｅｌｌ−ＩＤに対応する時間区間を判定し、前記整合システム時間を、前記の判定された時間区間内の時間位置ｔと合わせる請求項３３に記載のＵＥ。
【発明の詳細な説明】
【技術分野】
【０００１】
本発明は、ワイヤレス通信技術の分野に関し、特に、スペクトルの使用を指示及び判定する方法、並びに装置に関する。
【背景技術】
【０００２】
現在のワイヤレスネットワークシステムでは、異なるワイヤレス技術間の干渉を回避又は低減するために、固定されたスペクトル割り当ての方針が広く使用されている。すなわち、国家機関がスペクトルの割り当てを行い、特定のサービスを提供するためにいくつかのスペクトルを指定された組織に個別に割り当て、割り当てのために規定されたスペクトルは免許スペクトル（ｌｉｃｅｎｓｅｄ  ｂａｎｄ）と呼ばれ、割り当てのために規定されていないスペクトルは非免許スペクトル（ｕｎｌｉｃｅｎｓｅｄ  ｂａｎｄ）と呼ばれる。発行された最新のＦＣＣ国際スペクトル白書によると、免許スペクトルリソースよりも多くの非免許スペクトルリソースが存在する可能性がある。したがって、ＬＴＥ（Ｌｏｎｇ  Ｔｅｒｍ  Ｅｖｏｌｕｔｉｏｎ、ロングタームエボリューション）デバイスを非免許スペクトルで利用すると、非免許スペクトルリソースを効率的に使用することができ、さらに、より効率的なワイヤレスアクセスを提供することができ、増加しつつあるモバイル帯域幅サービスの需要を満たすことができる。
【０００３】
ワイヤレス通信のシステムと事業者は、Ｕｎｌｉｃｅｎｓｅｄスペクトルを制限なく利用することができる。すなわち、複数の通信システムの複数の事業者、又は同じ通信システムの異なる事業者が同じスペクトルを占有することを望む場合が存在する。例えば、複数の事業者がある地理的領域にＬＴＥ通信ノードを配備し、それぞれの事業者は同じスペクトルを使用してデータを送信する際に別の事業者や別のシステムのネットワーク計画状況を考慮しない。したがって、異なる事業者が同じ地理的領域のそのような共有スペクトルで同じセル識別子Ｃｅｌｌ−ＩＤを使用する可能性がある。
【０００４】
ＬＴＥシステムのいくつかの物理層チャネルで送信される信号には、事前に定義されたシーケンス信号、例えば同期信号やセル固有参照信号（ＣＲＳ、Ｃｅｌｌ−ｓｐｅｃｉｆｉｃ  Ｒｅｆｅｒｅｎｃｅ  Ｓｉｇｎａｌ、共通参照信号とも呼ばれる）が含まれ、これらのシーケンス信号は、対応するＣｅｌｌ−ＩＤだけに関係する。同期信号の場合は、Ｚａｄｏｆｆ−Ｃｈｕシーケンスがプライマリ同期信号に使用され、ｍシーケンスがセカンダリ同期信号に使用される。特定のＣｅｌｌ−ＩＤに対して、特定のプライマリ同期信号シーケンス及びセカンダリ同期信号シーケンスが、プライマリ同期信号及びセカンダリ同期信号を生成する方式に従って、対応して生成される。同様に、ＬＴＥシステムにおけるＣＲＳシーケンスの生成方式及びリソースマッピング方式も、１つのセルのＣｅｌｌ−ＩＤだけに関係する。特定のＣｅｌｌ−ＩＤに対して、特定のＣＲＳ信号シーケンスが対応して生成され、その信号が、１つの同じ送信用リソースにマッピングされる。
【０００５】
図１に示すように、非免許スペクトルで事業者１が計画するＣｅｌｌ２の地理的領域の一部が、非免許スペクトルで事業者２が計画するＣｅｌｌ２の地理的領域と同じである。それぞれの事業者は、同じスペクトルを使用してデータを送信する際に別の事業者や別のシステムのネットワーク計画状況を考慮しないため、事業者１と事業者２は、非免許スペクトルで事業者１が計画したＣｅｌｌ２と、非免許スペクトルで事業者２が計画したＣｅｌｌ２とにおいて、同じＣｅｌｌ−ＩＤを使用する可能性がある。事業者１のユーザのＵＥ１がＣｅｌｌ２において事業者１の物理信号シーケンスを受信して復調する場合に、ＵＥ１は、Ｃｅｌｌ２において事業者２の物理信号シーケンスを受信する可能性がある。受信される物理信号の視点から見ると、ユーザは、受信した信号が非免許スペクトルで事業者１のＣｅｌｌ２から送信されたものか、非免許スペクトルで事業者２のＣｅｌｌ２から送信されたものかを区別することができない。例えば、ＵＥ１がＣＲＳ信号を測定するプロセスで、実際の状況は、事業者１のＣｅｌｌ２で送信された信号がＵＥに到達する場合に、信号は事業者２のＣｅｌｌ２で送信される信号によって深刻な干渉を受けているという状況になる。しかし、測定されるＣＲＳ信号の視点から見ると、２つの事業者によって送信されるＣＲＳ信号は全く同じであるため、ＣＲＳ信号は干渉の状況を反映することができず、加えてＵＥは両方のＣＲＳを受信することができることから、測定されるＣＲＳ信号の品質が非常に高くなる。測定結果が事業者１のＣｅｌｌ２に報告されると、事業者１は、その測定結果に従って、対応する構成やデータスケジューリング等をＵＥに対して行う。構成及びデータスケジューリングの結果は実際には事業者１のＣｅｌｌ２におけるＵＥの通信品質と大きく乖離するため、無効な又は誤ったスケジューリング結果が生成され、それは、ネットワークによって実行されるその後の混乱したユーザデータスケジューリングの問題を引き起こす。
【０００６】
現在のワイヤレスネットワークシステムでは、異なるＬＴＥシステム事業者によって配備されるすべてのシステムは別々の免許スペクトルにあり、異なる事業者が同じ地理的領域の共有スペクトルで同じＣｅｌｌ−ＩＤを持つセルを計画するという問題は存在しない。
【０００７】
理解されるように、異なる事業者が共有スペクトルを使用してＬＴＥシステムのネットワークを配備する場合、事業者は、共有スペクトルを使用する際に別の事業者のネットワーク計画状況を考慮しないため、異なる事業者が同じ地理的領域の共有スペクトルで同じＣｅｌｌ−ＩＤを計画する可能性がある。この問題は従来技術では依然として解決されていない。
【発明の概要】
【０００８】
本発明の実施形態は、スペクトルの使用を指示及び判定する方法、並びに装置を提供することにより、異なる事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
【０００９】
第１の態様によると、ネットワーク側がスペクトルの使用を指示する方法が提供され、この方法は、
プライマリセルＰｃｅｌｌで、第１のワイヤレスネットワーク識別子をＵＥに送信するステップであって、Ｐｃｅｌｌで使用されるキャリアは非共有スペクトルのキャリアである、ステップと、
セカンダリセルＳｃｅｌｌで、第１のワイヤレスネットワーク識別子と同じ第２のワイヤレスネットワーク識別子をＵＥに送信し、それにより、ＵＥが、ＵＥがＳｃｅｌｌでネットワーク側と通信することができるかどうかを判定するステップであって、Ｓｃｅｌｌで使用されるキャリアは共有スペクトルのキャリアであり、第１のワイヤレスネットワーク識別子／第２のワイヤレスネットワーク識別子は、１つのワイヤレスネットワーク事業者を一意に識別する、ステップとを含む。
【００１０】
第１の態様を参照し、第１の可能な実装方式では、Ｐｃｅｌｌで第１のワイヤレスネットワークをＵＥに送信し、Ｓｃｅｌｌで第２のワイヤレスネットワーク識別子をＵＥに送信するステップの後に、上記方法は、
ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合は、ＵＥに対してリソース構成及びデータスケジューリングを行うことを省略するか、又はＳｃｅｌｌのセル識別子を変更するステップと、
ＵＥから返信されるとともに、Ｓｃｅｌｌの信号測定結果を含んでいるフィードバック情報が受信された場合、Ｓｃｅｌｌの信号測定結果に従って、ＵＥに対してリソース構成及びデータスケジューリングを行うステップとをさらに含む。
【００１１】
第１の態様を参照し、第２の可能な実装方式では、Ｓｃｅｌｌで、第１のダウンリンク共有チャネルを使用して第２のワイヤレスネットワーク識別子をＵＥに送信するステップであって、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間若しくはＳｃｅｌｌの共通探索空間である、ステップ、又は、
Ｓｃｅｌｌで、第２のダウンリンク共有チャネルを使用して第２のワイヤレスネットワーク識別子をＵＥに送信にするステップであって、第２のダウンリンク共有チャネルに対応するリソースは、Ｓｃｅｌｌのセル識別子に対応する事前設定されたリソースである、ステップ、又は、
Ｓｃｅｌｌで、第３のダウンリンク共有チャネルを使用して、第２のワイヤレスネットワーク識別子と、第２のワイヤレスネットワーク識別子を識別するために使用される事前設定されたシーケンスとをＵＥに送信するステップ。
【００１２】
第２の態様によると、ユーザ機器ＵＥがスペクトルの使用を判定する方法が提供され、この方法は、
プライマリセルＰｃｅｌｌでネットワーク側から送信される第１のワイヤレスネットワーク識別子を受信し、セカンダリセルＳｃｅｌｌでネットワーク側から送信される第２のワイヤレスネットワーク識別子を探索するステップであって、Ｐｃｅｌｌで使用されるキャリアは非共有スペクトルのキャリアであり、Ｓｃｅｌｌで使用されるキャリアは共有スペクトルのキャリアである、ステップと、
Ｓｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致すると判定する場合、ネットワーク側との通信をＳｃｅｌｌで行うことができると判定するステップと、
Ｓｃｅｌｌでネットワーク側から送信される第２のワイヤレスネットワーク識別子が受信されない場合、又は、Ｓｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致しないと判定する場合、ネットワーク側との通信をＳｃｅｌｌで行うことができないと判定するステップとを含む。
【００１３】
第２の態様を参照し、第１の可能な実装方式では、ネットワーク側との通信をＳｃｅｌｌで行うことができると判定した場合に、上記方法は、Ｓｃｅｌｌの信号測定結果をネットワーク側にフィードバックするステップをさらに含むか、又は、
ネットワーク側との通信をＳｃｅｌｌで行うことができないと判定した場合、上記方法は、
Ｓｃｅｌｌの信号測定結果をネットワーク側にフィードバックすることを省略するか、若しくは、ネットワーク側に、Ｓｃｅｌｌの信号測定結果が無効であることを示すフィードバック情報をフィードバックするか、若しくは、ネットワーク側に、Ｓｃｅｌｌのセル識別子の変更を命じるフィードバック情報をフィードバックするステップをさらに含む。
【００１４】
第２の態様を参照し、第２の可能な実装方式では、第１のダウンリンク共有チャネルを使用して、Ｓｃｅｌｌでネットワーク側から送信される第２のワイヤレスネットワーク識別子を探索するステップであって、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間若しくはＳｃｅｌｌの共通探索空間である、ステップ、又は、
第２のダウンリンク共有チャネルを使用して、Ｓｃｅｌｌでネットワーク側から送信される第２のワイヤレスネットワーク識別子を探索するステップであって、第２のダウンリンク共有チャネルに対応するリソースは、Ｓｃｅｌｌのセル識別子に対応する事前設定されたリソースである、ステップ、又は、
第３のダウンリンク共有チャネルで、記憶されている事前設定されたシーケンスに従って、Ｓｃｅｌｌでネットワーク側から送信される第２のワイヤレスネットワーク識別子を探索するステップ。
【００１５】
第３の態様によると、ネットワーク側がスペクトルにおけるセル識別子を判定する方法が提供され、この方法は、
時間整合を行うことを判定した場合に、整合システム時間を、記憶されているＭ個の時間区間に従って時間区間内の時間位置と合わせ、記憶されているＭ個の時間区間の循環順序に従って、事前設定された循環順序でＭ個の時間区間がシステム時間に対応する関係を確立するステップであって、Ｍは１より大きい整数である、ステップと、
ユーザ機器ＵＥとの通信を共有スペクトルのキャリアでＣｅｌｌ−ＩＤを使用して行う必要があると判定した場合、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでＵＥとの通信を行うステップであって、異なるワイヤレスネットワーク事業者ごとに、同じ時間区間に対応するＣｅｌｌ−ＩＤは異なる、ステップとを含む。
【００１６】
第３の態様を参照し、第１の可能な実装方式では、上記方法は、
記憶されているＭ個の時間区間、Ｍ個の時間区間の循環順序、及びＭ個の時間区間とＣｅｌｌ−ＩＤとの間の対応関係をＵＥに送付するステップをさらに含む。
【００１７】
第３の態様を参照し、第２の可能な実装方式では、上記方法は、
タイミングの瞬間が到達した場合に、現在のシステム時間の時間区間と、その時間区間における現在のシステム時間の時間位置ｔとを判定し、判定された時間位置ｔと、現在のシステム時間の時間区間に対応するＣｅｌｌ−ＩＤとをＵＥにブロードキャストするステップ、又は、
ＵＥの時間要求が受信された場合に、現在のシステム時間の時間区間と、その時間区間における現在のシステム時間の時間位置ｔとを判定し、判定された時間位置ｔと、現在のシステム時間の時間区間に対応するＣｅｌｌ−ＩＤとをＵＥに送信するステップ、又は、
ＵＥとの接続を確立する必要があると判定した場合に、現在のシステム時間の時間区間Ｔと、その時間区間における現在のシステム時間の時間位置ｔとを判定し、判定された時間位置ｔと、現在のシステム時間の時間区間に対応するＣｅｌｌ−ＩＤとをＵＥに送信するステップをさらに含む。
【００１８】
第３の態様を参照し、第３の可能な実装方式では、ＵＥとの通信が、上記時間区間に対応するＣｅｌｌ−ＩＤを使用して共有スペクトルのキャリアで行われる場合に、上記方法は、
上記時間区間における現在のシステム時間の時間位置ｔをＵＥに送信するステップをさらに含む。
【００１９】
第４の態様によると、ユーザ機器ＵＥがスペクトルにおけるセル識別子Ｃｅｌｌ−ＩＤを判定する方法が提供され、この方法は、
時間整合を行うことを判定した場合に、整合システム時間を、記憶されているＭ個の時間区間のうちの時間区間内の時間位置と合わせ、記憶されているＭ個の時間区間の循環順序に従って、事前設定された循環順序でＭ個の時間区間がシステム時間に対応する関係を確立するステップであって、Ｍは１より大きい整数である、ステップと、
ネットワーク側との通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでネットワーク側との通信を行うステップとを含む。
【００２０】
第４の態様を参照し、第１の可能な実装方式では、時間整合を行うことを判定するステップが、詳細には、
ネットワーク側がＵＥとの通信を共有スペクトルのキャリアでＣｅｌｌ−ＩＤを使用して行う必要があると判定した場合にネットワーク側から送信されるＣｅｌｌ−ＩＤ及び時間位置ｔを受信した場合、又は、タイミングの瞬間が到達した場合にネットワーク側から送信されるＣｅｌｌ−ＩＤ及び時間位置ｔを受信した場合、又は、ＵＥの要求に応じてネットワーク側から送信されるＣｅｌｌ−ＩＤ及び時間位置ｔを受信した場合、又は、ネットワーク側がＵＥに接続することを判定した場合にネットワーク側から送信されるＣｅｌｌ−ＩＤ及び時間位置ｔを受信した場合に、時間整合を行うことを判定するステップを含み、
整合システム時間を、記憶されているＭ個の時間区間のうちの時間区間内の時間位置と合わせるステップが、詳細には、
記憶されているＭ個の時間区間とＣｅｌｌ−ＩＤとの間の対応関係に従って、受信されたＣｅｌｌ−ＩＤに対応する時間区間を判定するステップと、
整合システム時間を、判定された時間区間内の時間位置ｔと合わせるステップとを含む。
【００２１】
第５の態様によると、ネットワーク側装置が提供され、この装置は、
プライマリセルＰｃｅｌｌで、第１のワイヤレスネットワーク識別子をＵＥに送信するように構成された第１の送信部であって、Ｐｃｅｌｌで使用されるキャリアは、非共有スペクトルのキャリアである、第１の送信部と、
セカンダリセルＳｃｅｌｌで、第１のワイヤレスネットワーク識別子と同じ第２のワイヤレスネットワーク識別子をＵＥに送信し、それにより、ＵＥが、ＵＥがネットワーク側とＳｃｅｌｌで通信することができるかどうかを判定するように構成された第２の送信部であって、Ｓｃｅｌｌで使用されるキャリアは共有スペクトルのキャリアであり、第１のワイヤレスネットワーク識別子／第２のワイヤレスネットワーク識別子は１つのワイヤレスネットワーク事業者を一意に識別する、第２の送信部とを備える。
【００２２】
第５の態様を参照し、第１の可能な実装方式では、第１のワイヤレスネットワークがＰｃｅｌｌでＵＥに送信され、第２のワイヤレスネットワーク識別子がＳｃｅｌｌでＵＥに送信された後、ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合には、ＵＥに対してリソース構成及びデータスケジューリングを行うことを省略するか、又はＳｃｅｌｌのセル識別子を変更するように構成されたスケジューリング中止部と、
第１のワイヤレスネットワーク識別子がＰｃｅｌｌでＵＥに送信され、第２のワイヤレスネットワーク識別子がＳｃｅｌｌでＵＥに送信された後、ＵＥから返信されるとともに、Ｓｃｅｌｌの信号測定結果を含んでいるフィードバック情報が受信されると、Ｓｃｅｌｌの信号測定結果に従って、ＵＥに対してリソース構成及びデータスケジューリングを行うように構成されたスケジューリング部と。
【００２３】
第５の態様を参照し、第２の可能な実装方式では、第２の送信部が、詳細には、Ｓｃｅｌｌで第１のダウンリンク共有チャネルを使用して第２のワイヤレスネットワーク識別子をＵＥに送信するように構成され、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間若しくはＳｃｅｌｌの共通探索空間であるか、又は、
第２の送信部が、詳細には、Ｓｃｅｌｌで第２のダウンリンク共有チャネルを使用して第２のワイヤレスネットワーク識別子をＵＥに送信するように構成され、第２のダウンリンク共有チャネルに対応するリソースは、Ｓｃｅｌｌのセル識別子に対応する事前設定されたリソースであるか、又は、
第２の送信部が、詳細には、Ｓｃｅｌｌで、第３のダウンリンク共有チャネルを使用して、第２のワイヤレスネットワーク識別子と、第２のワイヤレスネットワーク識別子を識別するために使用される事前設定されたシーケンスとをＵＥに送信するように構成される。
【００２４】
第６の態様によると、スペクトルの使用を判定するユーザ機器ＵＥが提供され、このＵＥは、
プライマリセルＰｃｅｌｌでネットワーク側から送信される第１のワイヤレスネットワーク識別子を受信し、セカンダリセルＳｃｅｌｌでネットワーク側から送信される第２のワイヤレスネットワーク識別子を探索するように構成された探索部であって、Ｐｃｅｌｌで使用されるキャリアは非共有スペクトルのキャリアであり、Ｓｃｅｌｌで使用されるキャリアは共有スペクトルのキャリアである、探索部と、
Ｓｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致すると判定する場合、ネットワーク側との通信をＳｃｅｌｌで行うことができると判定するように構成された第１の判定部と、
Ｓｃｅｌｌでネットワーク側から送信される第２のワイヤレスネットワーク識別子が受信されない場合、又はＳｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致しないと判定する場合、ネットワーク側との通信をＳｃｅｌｌで行うことができないと判定するように構成された第２の判定部とを備える。
【００２５】
第６の態様を参照し、第１の可能な実装方式では、上記ＵＥは、
ネットワーク側との通信をＳｃｅｌｌで行うことができると判定した場合、Ｓｃｅｌｌの信号測定結果をネットワーク側にフィードバックするように構成された第１のフィードバック部、又は、
ネットワーク側との通信をＳｃｅｌｌで行うことができないと判定した場合、Ｓｃｅｌｌの信号測定結果をネットワーク側にフィードバックすることを省略するか、又は、ネットワーク側に、Ｓｃｅｌｌの信号測定結果が無効であることを示すフィードバック情報をフィードバックするか、又は、ネットワーク側に、Ｓｃｅｌｌのセル識別子の変更を命じるフィードバック情報をフィードバックするように構成された第２のフィードバック部をさらに備える。
【００２６】
第６の態様を参照し、第２の可能な実装方式では、探索部が、第１のダウンリンク共有チャネルを使用して、Ｓｃｅｌｌでネットワーク側から送信される第２のワイヤレスネットワーク識別子を探索するように構成され、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間若しくはＳｃｅｌｌの共通探索空間であるか、又は、
探索部が、詳細には、第２のダウンリンク共有チャネルを使用して、Ｓｃｅｌｌでネットワーク側から送信される第２のワイヤレスネットワーク識別子を探索するように構成され、第２のダウンリンク共有チャネルに対応するリソースは、Ｓｃｅｌｌのセル識別子に対応する事前設定されたリソースであるか、又は、
探索部が、詳細には、第３のダウンリンク共有チャネルで、記憶されている事前設定されたシーケンスに従って、Ｓｃｅｌｌでネットワーク側から送信される第２のワイヤレスネットワーク識別子を探索するように構成される。
【００２７】
第７の態様によると、ネットワーク側装置が提供され、この装置は、
時間整合を行うことを判定した場合に、整合システム時間を、記憶されているＭ個の時間区間に従って時間区間内の時間位置と合わせ、記憶されているＭ個の時間区間の循環順序に従って、事前設定された循環順序でＭ個の時間区間がシステム時間に対応する関係を確立するように構成された時間整合部であって、Ｍは１より大きい整数である、時間整合部と、
ユーザ機器ＵＥとの通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して、共有スペクトルのキャリアでＵＥとの通信を行うように構成された通信部であって、異なるワイヤレスネットワーク事業者ごとに、同じ時間区間に対応するＣｅｌｌ−ＩＤは異なる、通信部とを備える。
【００２８】
第７の態様を参照し、第１の可能な実装方式では、上記装置は、
記憶されているＭ個の時間区間、Ｍ個の時間区間の循環順序、及びＭ個の時間区間とＣｅｌｌ−ＩＤとの間の対応関係をＵＥに送付するように構成された送付部をさらに備える。
【００２９】
第７の態様を参照し、第２の可能な実装方式では、上記装置は、
タイミングの瞬間が到達した場合に、現在のシステム時間の時間区間と、その時間区間における現在のシステム時間の時間位置ｔとを判定し、判定された時間位置ｔと、現在のシステム時間の時間区間に対応するＣｅｌｌ−ＩＤとをＵＥにブロードキャストするように構成された第１の通知部、又は、
ＵＥの時間要求が受信された場合に、現在のシステム時間の時間区間と、その時間区間における現在のシステム時間の時間位置ｔとを判定し、判定された時間位置ｔと、現在のシステム時間の時間区間に対応するＣｅｌｌ−ＩＤとをＵＥに送信するように構成された第２の通知部、又は、
ＵＥとの接続を確立する必要があると判定した場合に、現在のシステム時間の時間区間Ｔと、その時間区間における現在のシステム時間の時間位置ｔとを判定し、判定された時間位置ｔと、現在のシステム時間の時間区間に対応するＣｅｌｌ−ＩＤとをＵＥに送信するように構成された第３の通知部をさらに備える。
【００３０】
第７の態様を参照し、第２の可能な実装方式では、通信部はさらに、当該時間区間に対応するＣｅｌｌ−ＩＤを使用して、共有スペクトルのキャリアでＵＥとの通信を行う場合に、
上記時間区間における現在のシステム時間の時間位置ｔをＵＥに送信するように構成される。
【００３１】
第８の態様によると、ユーザ機器ＵＥが提供され、このＵＥは、
時間整合を行うことを判定した場合に、整合システム時間を、記憶されているＭ個の時間区間のうちの時間区間内の時間位置と合わせ、記憶されているＭ個の時間区間の循環順序に従って、事前設定された循環順序でＭ個の時間区間がシステム時間に対応する関係を確立するように構成された時間整合部であって、Ｍは１より大きい整数である、時間整合部と、
ネットワーク側との通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでネットワーク側との通信を行うように構成された通信部とを備える。
【００３２】
第８の態様を参照し、第１の可能な実装方式では、ネットワーク側がＵＥとの通信を共有スペクトルのキャリアでＣｅｌｌ−ＩＤを使用して行う必要があると判定した場合にネットワーク側から送信されるＣｅｌｌ−ＩＤ及び時間位置ｔを受信した場合、又は、タイミングの瞬間が到達した場合にネットワーク側から送信されるＣｅｌｌ−ＩＤ及び時間位置ｔを受信した場合、又は、ＵＥの要求に応じてネットワーク側から送信されるＣｅｌｌ−ＩＤ及び時間位置ｔを受信した場合、又は、ネットワーク側がＵＥに接続することを判定した場合にネットワーク側から送信されるＣｅｌｌ−ＩＤ及び時間位置ｔを受信した場合に、時間整合部が、時間整合を行うことを判定し、記憶されているＭ個の時間区間とＣｅｌｌ−ＩＤとの間の対応関係に従って、受信されたＣｅｌｌ−ＩＤに対応する時間区間を判定し、整合システム時間を、判定された時間区間内の時間位置ｔと合わせる。
【００３３】
本発明により提供されるスペクトルの使用を指示及び判定する方法、並びに装置を使用することにより、具体的には下記の有益な効果が実現される。本発明では、ネットワーク側が、ＰｃｅｌｌとＳｃｅｌｌで同じワイヤレスネットワーク識別子を送信するため、ＵＥは、ＵＥがＳｃｅｌｌで共有スペクトルのキャリアを使用してネットワーク側と通信することができるかどうかを判定することができ、ＵＥは、２つのワイヤレスネットワーク識別子の受信状況に従って、異なる事業者が共有スペクトルで同じＣｅｌｌ−ＩＤを使用しているかどうかを判定し、判定の結果をネットワーク側にフィードバックすることができる。これにより、異なる事業者が同じ地理的領域の共有スペクトルで同じＣｅｌｌ−ＩＤを持つセルを計画したために生じる無効な又は誤ったスケジューリング結果に起因してネットワークによって実行されるその後の混乱したユーザデータスケジューリングの問題を回避する。
【図面の簡単な説明】
【００３４】
【図１】非免許スペクトルで事業者１によって計画されるＣｅｌｌ２と、その非免許スペクトルで事業者２によって計画されるＣｅｌｌ２が同じ地理的領域に位置することを示す模式図である。
【図２】本発明の実施形態による、ネットワーク側がスペクトルの使用を指示する方法のフローチャートである。
【図３】本発明の実施形態による、ユーザ機器がスペクトルの使用を判定する方法のフローチャートである。
【図４】本発明の実施形態による、ネットワーク側がプライマリセルとセカンダリセルとの両方で同じＰＬＭＮ情報を送信することを示す模式図である。
【図５】本発明の実施形態による、制御チャネルの第１の共通探索空間がＰｃｅｌｌの共通探索空間であることを示す模式図である。
【図６】隣接する地理的領域内で別の事業者によって配備された、同じＣｅｌｌ−ＩＤを持つ別のセルの模式図である。
【図７】本発明の実施形態による、制御チャネルの第１の共通探索空間がＳｃｅｌｌの共通探索空間であることを示す模式図である。
【図８】本発明の実施形態による、第２のダウンリンク共有チャネルに対応するリソースが、事前設定された特定のリソースであることを示す模式図である。
【図９】本発明の実施形態による、ネットワーク側がスペクトルにおけるセル識別子を判定する方法のフローチャートである。
【図１０】本発明の実施形態による、ユーザ機器ＵＥがスペクトルにおけるセル識別子を判定する方法のフローチャートである。
【図１１】本発明の実施形態による、ネットワーク側装置が共有スペクトルで計画して使用する、時間変動するＣｅｌｌ−ＩＤの模式図である。
【図１２】本発明の実施形態による第１のネットワーク側装置の構造図である。
【図１３】本発明の実施形態による第１のＵＥの構造図である。
【図１４】本発明の実施形態による第２のネットワーク側装置の構造図である。
【図１５】本発明の実施形態による第２のＵＥの構造図である。
【発明を実施するための形態】
【００３５】
本発明により提供される、スペクトルの使用を指示及び判定する方法、並びに装置について、下記で添付図面及び実施形態を参照してさらに詳細に説明する。
【００３６】
本発明は、異なる事業者が共有スペクトルを使用してＬＴＥシステムのネットワークを配備する場合にＣｅｌｌ−ＩＤを計画する問題を解決し、事業者が、共有スペクトルを使用する際に別の事業者のネットワーク計画状況を考慮しないために、異なる事業者が同じ地理的領域の共有スペクトルで同じＣｅｌｌ−ＩＤを持つセルを計画することによって生じる無効な又は誤ったスケジューリング結果に起因し得るネットワークによって実行される混乱したユーザデータスケジューリングの問題を回避する。
【００３７】
ネットワーク側装置に対して、本発明の実施形態１は、スペクトルの使用を指示する方法を提供し、図２に示すように、この方法は下記のステップを含む。
【００３８】
ステップ２０１．プライマリセルＰｃｅｌｌ（Ｐｒｉｍａｒｙ  ｃｅｌｌ）で、第１のワイヤレスネットワーク識別子をＵＥに送信し、Ｐｃｅｌｌで使用されるキャリアは非共有スペクトルのキャリアである。
【００３９】
ステップ２０２．セカンダリセルＳｃｅｌｌ（Ｓｅｃｏｎｄａｒｙ  ｃｅｌｌ）で、第１のワイヤレスネットワーク識別子と同じ第２のワイヤレスネットワーク識別子をＵＥに送信し、それにより、ＵＥが、２つのワイヤレスネットワーク識別子の受信状況に従って、ＵＥがＳｃｅｌｌでネットワーク側と通信することができるかどうかを判定し、Ｓｃｅｌｌで使用されるキャリアは共有スペクトルのキャリアであり、第１のワイヤレスネットワーク識別子／第２のワイヤレスネットワーク識別子は、同じ地理的領域の範囲内で１つのワイヤレスネットワーク事業者を一意に識別することができる。
【００４０】
非共有スペクトルのキャリアがＰｃｅｌｌで使用され、したがって、ＵＥは、Ｐｃｅｌｌ内でネットワーク側から送信される第１のワイヤレスネットワーク識別子を受信することができる。共有スペクトルのキャリアがＳｃｅｌｌで使用され、また、異なる事業者が同じ地理的領域内において共有スペクトルで同じＣｅｌｌ−ＩＤを計画する場合には、ＵＥは、Ｐｃｅｌｌのワイヤレスネットワーク識別子と異なるワイヤレスネットワーク識別子を受信しない場合も受信する場合もあるため、ＵＥは、Ｓｃｅｌｌでネットワーク側から送信される第２のワイヤレスネットワーク識別子を探索する必要があり、共有スペクトルにおける第２のワイヤレスネットワーク識別子の受信状況に従って、ネットワーク側装置が共有スペクトルのリソースでＵＥと通信することができるかどうかを判定することができる。
【００４１】
ステップ２０１及びステップ２０２を行う順序は本発明の本実施形態では制限されず、すなわち、２つのワイヤレスネットワーク識別子は同時に送信されても、別々に送信されてもよい。
【００４２】
ネットワーク側装置は基地局であり、基地局は例えば、ベーストランシーバ局（ＢＴＳ）、ノードＢ（ＮｏｄｅＢ）、進化型ノードＢ（ｅＮｏｄｅＢ若しくはｅＮＢ）、ホームノードＢ（Ｈｏｍｅ  Ｎｏｄｅ  Ｂ若しくはＨＮＢ）、進化型ホームノードＢ（Ｈｏｍｅ  ｅＮｏｄｅＢ若しくはＨｅＮＢ）、マクロ基地局、又は別の同様の装置である。
【００４３】
ワイヤレスネットワーク事業者を一意に識別するために使用される第１／第２のワイヤレスネットワーク識別子は、これに限定しないが、公衆陸上モバイルネットワーク（Ｐｕｂｌｉｃ  Ｌａｎｄ  Ｍｏｂｉｌｅ  Ｎｅｔｗｏｒｋ、公衆陸上モバイルネットワーク）識別子ＰＬＭＮ  ＩＤの一部又はすべての内容（本実施形態ではＰＬＭＮ情報と呼ぶ）であり得る。
【００４４】
ＰＬＭＮ＝ＭＣＣ＋ＭＮＣであり、ＭＣＣ（Ｍｏｂｉｌｅ  Ｃｏｕｎｔｒｙ  Ｃｏｄｅ、モバイル国コード）は３桁の番号であり、ＭＮＣ（Ｍｏｂｉｌｅ  Ｎｅｔｗｏｒｋ  Ｃｏｄｅ）は政府によって割り当てられるモバイルネットワークコードであり、２桁の番号又は３桁の番号である。
【００４５】
ＰＬＭＮ情報は、ＰＬＭＮ内の同じ地理的領域内で異なる事業者を区別することができる部分である。例えば、同じ地理的領域にあるＰＬＭＮのＭＣＣ情報は同じであるため、送信されるＰＬＭＮ情報はそのＰＬＭＮにおけるＭＮＣ情報とすることができる。
【００４６】
任意に、ネットワーク側は、システム情報ブロックＳＩＢ−１をブロードキャストすることにより、Ｐｃｅｌｌで第１のワイヤレスネットワーク識別子をＵＥに送信し、Ｓｃｅｌｌで第２のワイヤレスネットワーク識別子をＵＥに送信するように構成される。
【００４７】
任意に、Ｐｃｅｌｌで第１のワイヤレスネットワーク識別子をＵＥに送信し、Ｓｃｅｌｌで第２のワイヤレスネットワーク識別子をＵＥに送信した後に、ネットワーク側はさらに、下記のステップ、すなわち
（１）ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合は、ＵＥに対してリソース構成やデータスケジューリング等を行うことを省略するステップ、
（２）ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合は、Ｓｃｅｌｌのセル識別子を変更するステップ、及び
（３）ＵＥから返信されるとともに、Ｓｃｅｌｌの信号測定結果を含んでいるフィードバック情報が受信された場合、Ｓｃｅｌｌの信号測定結果に従って、ＵＥに対してリソース構成及びデータスケジューリングを行うステップ、
のうちのいずれか１つを行う。
【００４８】
ＵＥからの情報フィードバックに応じて、ネットワーク側装置は、共有スペクトルのキャリアのＣｅｌｌ−ＩＤを取り替えるか、又は、当該ＵＥに対してリソース構成やデータスケジューリング等を行わない。これにより、異なる事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
【００４９】
Ｓｃｅｌｌでワイヤレスネットワーク識別子をネットワーク側が送信する具体的な方式は、下記の方式のいずれかとすることができる。
【００５０】
方式１：第２のワイヤレスネットワーク識別子が、Ｓｃｅｌｌで、第１のダウンリンク共有チャネルを使用してＵＥに送信され、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間又はＳｃｅｌｌの共通探索空間である。
【００５１】
方式２：第２のワイヤレスネットワーク識別子が、Ｓｃｅｌｌで、第２のダウンリンク共有チャネルを使用してＵＥに送信され、第２のダウンリンク共有チャネルに対応するリソースは、Ｓｃｅｌｌのセル識別子に対応する事前設定されたリソースである。
【００５２】
方式３：第２のワイヤレスネットワーク識別子と、第２のワイヤレスネットワーク識別子を識別するために使用される事前設定されたシーケンスとが、ＳｃｅｌｌでＵＥに送信される。
【００５３】
これは、事前設定されたシーケンスが送信される箇所と、ワイヤレスネットワーク識別子が送信される箇所との間に事前に設定された位置関係が存在するように設定することができ、例えば、第２のワイヤレスネットワーク識別子は、事前設定されたシーケンスの前、又は事前設定されたシーケンスの後に送信される。そのようにすると、ＵＥが、記憶されている事前設定されたシーケンスに従って、事前設定されたシーケンスが受信されたことを検出した場合に、ＵＥは事前設定された位置関係を使用して第２のネットワーク識別子を識別することができる。言うまでもなく、事前に設定された演算を事前設定されたシーケンス及び第２のワイヤレスネットワーク識別子に行ってもよく、例えば排他的論理和演算等が行われ、そのようにして、ＵＥ側はＰｃｅｌｌの第１のワイヤレスネットワーク識別子を使用して受信信号に逆の演算を行い、逆の演算の結果が、記憶されている事前設定されたシーケンスに関係付けられているかどうかを判定することができ、さらに、Ｓｃｅｌｌで送信されたワイヤレスネットワーク識別子が正しく受信されたかどうかを判定することができる。
【００５４】
任意に、第２のワイヤレスネットワーク識別子及び事前設定されたシーケンスは、第３のダウンリンク共有チャネルで、事前設定されたシーケンスを第２のワイヤレスネットワーク識別子を使用してスクランブルして送信される。
【００５５】
事前設定されたシーケンスは、下記のシーケンス、すなわちプライマリ同期信号ＰＳＳシーケンス、セカンダリ同期信号ＳＳＳシーケンス、及びセル固有参照信号ＣＲＳシーケンスのうちのいずれか１つ又は複数である。
【００５６】
ユーザ機器ＵＥに対して、本発明の実施形態２はさらに、スペクトルの使用を判定する方法を提供し、図３に示すように、この方法は下記のステップを含む。
【００５７】
ステップ３０１．Ｐｃｅｌｌでネットワーク側から送信される第１のワイヤレスネットワーク識別子を受信し、Ｓｃｅｌｌでネットワーク側から送信される第２のワイヤレスネットワーク識別子を探索し、Ｐｃｅｌｌで使用されるキャリアは非共有スペクトルのキャリアであり、Ｓｃｅｌｌで使用されるキャリアは共有スペクトルのキャリアである。
【００５８】
ステップ３０２．Ｓｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致すると判定される場合、ネットワーク側との通信をＳｃｅｌｌで行うことができると判定する。Ｓｃｅｌｌでネットワーク側から送信される第２のワイヤレスネットワーク識別子が受信されない場合、又は、Ｓｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致しないと判定される場合、ネットワーク側との通信をＳｃｅｌｌで行うことができないと判定する。
【００５９】
ＵＥは、２つのワイヤレスネットワーク識別子の受信状況に従って、異なる事業者が共有スペクトルで同じＣｅｌｌ−ＩＤを使用しているかどうかを特定することができる。これにより、異なる事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
【００６０】
任意に、各ワイヤレスネットワーク識別子は、公衆陸上モバイルネットワークＰＬＭＮ情報の一部又はすべての内容である。さらに、任意に、各ワイヤレスネットワーク識別子は、ＰＬＭＮ中のモバイルネットワークコードＭＮＣとする。
【００６１】
任意に、システム情報ブロックＳＩＢ−１をブロードキャストすることにより、ＵＥは、Ｐｃｅｌｌでネットワーク側から送信される第１のワイヤレスネットワーク識別子を受信し、Ｓｃｅｌｌでネットワーク側から送信される第２のワイヤレスネットワーク識別子を探索する。
【００６２】
任意に、２つのワイヤレスネットワーク識別子の受信状況に応じて、下記の処理が行われる。
【００６３】
（１）ネットワーク側との通信をＳｃｅｌｌで行うことができると判定した場合、Ｓｃｅｌｌの信号測定結果をネットワーク側にフィードバックするか、又は、
（２）ネットワーク側との通信をＳｃｅｌｌで行うことができないと判定した場合、Ｓｃｅｌｌの信号測定結果をネットワーク側にフィードバックするのを省略するか、若しくは、ネットワーク側に、Ｓｃｅｌｌの信号測定結果が無効であることを示すフィードバック情報をフィードバックするか、若しくは、ネットワーク側に、Ｓｃｅｌｌのセル識別子の変更を命じるフィードバック情報をフィードバックする。
【００６４】
ＵＥが、共有スペクトルのリソースを使用してＵＥとの通信を行うことができないと特定した場合、すなわち、別の事業者のネットワークデバイスが現在同じＣｅｌｌ−ＩＤを使用して共有スペクトルのリソースでネットワークを配備している可能性がある場合、ＵＥは、ＵＥの測定結果を共有スペクトルでネットワーク側装置にフィードバックすることはせず、ネットワーク側は、ネットワーク側がＵＥからフィードバックされる測定結果を共有スペクトルで受信しない場合は、ＵＥに対して共有スペクトルのリソースを構成しない可能性がある。或いは、ＵＥは、ネットワーク側装置に、共有スペクトルにおける測定結果が無効であることを示す指示情報、又はＳｃｅｌｌのＣｅｌｌ−ＩＤを取り替える必要があることを示す指示情報をフィードバックし、ネットワーク側装置は、指示情報に従って共有スペクトルのキャリアのＣｅｌｌ−ＩＤを取り替えることができる。これにより、異なる事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
【００６５】
ＵＥが、Ｓｃｅｌｌでネットワーク側から送信されるワイヤレスネットワーク識別子を探索する具体的な方式は、下記の方式のいずれかとすることができる。
【００６６】
方式１：Ｓｃｅｌｌでネットワーク側から送信される第２のワイヤレスネットワーク識別子を、第１のダウンリンク共有チャネルを使用して探索し、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間又はＳｃｅｌｌの共通探索空間である。
【００６７】
方式２：Ｓｃｅｌｌでネットワーク側から送信される第２のワイヤレスネットワーク識別子を、第２のダウンリンク共有チャネルを使用して探索し、第２のダウンリンク共有チャネルに対応するリソースは、Ｓｃｅｌｌのセル識別子に対応する事前設定されたリソースである。
【００６８】
方式３：Ｓｃｅｌｌでネットワーク側から送信される第２のワイヤレスネットワーク識別子を、第３のダウンリンク共有チャネルで、記憶されている事前設定されたシーケンスに従って探索する。
【００６９】
詳細には、受信信号が、Ｐｃｅｌｌでネットワーク側から送信される第２のワイヤレスネットワーク識別子を使用してスクランブル解除され、スクランブル解除された信号が、ＵＥ側で記憶されている事前設定されたシーケンスに関係付けられていることを判定し、Ｓｃｅｌｌでネットワーク側から送信されるワイヤレスネットワーク識別子が受信されたと判定し、そのワイヤレスネットワーク識別子が、Ｐｃｅｌｌでネットワーク側から送信されたワイヤレスネットワーク識別子と一致すると判定する。
【００７０】
事前設定されたシーケンスは、下記のシーケンス、すなわちプライマリ同期信号ＰＳＳシーケンス、セカンダリ同期信号ＳＳＳシーケンス、及びセル固有参照信号ＣＲＳシーケンスのうちのいずれか１つ又は複数である。
【００７１】
本発明の実施形態３は、ネットワーク側とＵＥ側を組み合わせて、スペクトルの使用を指示する方法、及びスペクトルを使用することをＵＥが判定する方法を提供する。
【００７２】
非共有スペクトルのキャリアがＰｃｅｌｌで使用され、共有スペクトルのキャリアがＳｃｅｌｌで使用される。図４に示すように、ネットワーク側が、Ｐｃｅｌｌで第１のワイヤレスネットワーク識別子を送信し、Ｓｃｅｌｌで第２のワイヤレスネットワーク識別子を送信し、第１のワイヤレスネットワーク識別子と第２のワイヤレスネットワークは同じＰＬＭＮである。ＵＥは、Ｐｃｅｌｌでネットワーク側から送信されるＰＬＭＮ情報を受信し、Ｓｃｅｌｌでネットワーク側から送信されるＰＬＭＮ情報を探索する。Ｓｃｅｌｌでネットワーク側から送信されたＰＬＭＮ情報が受信され、そのＰＬＭＮ情報が、Ｐｃｅｌｌでネットワーク側から送信されたＰＬＭＮ情報と一致すると判定されると、ＵＥは、ネットワーク側との通信をＳｃｅｌｌで行うことができると判定する。Ｓｃｅｌｌでネットワーク側から送信されたＰＬＭＮが受信されない場合、又は、Ｓｃｅｌｌでネットワーク側から送信されたＰＬＭＮ情報が受信され、且つ、そのＰＬＭＮ情報がＰｃｅｌｌでネットワーク側から送信されたＰＬＭＮ情報と一致しないと判定された場合、ＵＥは、ネットワーク側との通信をＳｃｅｌｌで行うことができないと判定する。
【００７３】
任意に、ネットワーク側との通信をＳｃｅｌｌで行うことができると判定した場合、ＵＥは、Ｓｃｅｌｌの信号測定結果をネットワーク側にフィードバックする。ＵＥから返信されるとともに、Ｓｃｅｌｌの信号測定結果を含んでいるフィードバック情報を受信した場合に、ネットワーク側は、Ｓｃｅｌｌの信号測定結果に従って、ＵＥに対してリソース構成及びデータスケジューリングを行う。
【００７４】
ネットワーク側との通信をＳｃｅｌｌで行うことができないと判定した場合、ＵＥは、Ｓｃｅｌｌの信号測定結果をネットワーク側にフィードバックしないか、又は、ネットワーク側に、Ｓｃｅｌｌの信号測定結果が無効であることを示すフィードバック情報をフィードバックするか、又は、ネットワーク側に、Ｓｃｅｌｌのセル識別子の変更を命じるフィードバック情報をフィードバックする。ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合、ネットワーク側は、ＵＥに対してリソース構成やデータスケジューリングを行わないか、又はＳｃｅｌｌのセル識別子を変更する。
【００７５】
Ｓｃｅｌｌでネットワーク側がＰＬＭＮを送信し、ＵＥがＳｃｅｌｌでＰＬＭＮを探索する具体的な実装方式は下記のようになる。
【００７６】
方式１
ネットワーク側が、Ｓｃｅｌｌで、第１のダウンリンク共有チャネルを使用してＰＬＭＮをＵＥに送信する。ＵＥは、第１のダウンリンク共有チャネルを使用して、Ｓｃｅｌｌでネットワーク側から送信されるＰＬＭＮを探索する。
【００７７】
第１のダウンリンク共有チャネルに対応するスケジューリング情報の伝送チャネルは、制御チャネルの第１の共通探索空間（Ｃｏｍｍｏｎ  ｓｅａｒｃｈ  ｓｐａｃｅ）にあり、制御チャネルの第１の共通探索空間は、Ｐｃｅｌｌの共通探索空間又はＳｃｅｌｌの共通探索空間である。
【００７８】
図５に示すように、制御チャネルの第１の共通探索空間がＰｃｅｌｌの共通探索空間である場合、Ｓｃｅｌｌにおける第１のダウンリンク共有チャネルのスケジューリング情報は、Ｐｃｅｌｌの制御チャネルを使用してＵＥに送信され、ＳｃｅｌｌでＵＥによって行われるブラインド検出の回数を増やしたり、Ｓｃｅｌｌに共通探索空間を割り当てたりする必要はない。
【００７９】
図７に示すように、制御チャネルの第１の共通探索空間がＳｃｅｌｌの共通探索空間である場合、Ｓｃｅｌｌにおける第１のダウンリンク共有チャネルのスケジューリング情報は、Ｓｃｅｌｌの制御チャネルを使用してＵＥに送信される。
【００８０】
ＵＥは、Ｐｃｅｌｌ／Ｓｃｅｌｌの制御チャネルで受信される第１のダウンリンク共有チャネルのスケジューリング情報に従ってＳｃｅｌｌのＰＬＭＮ情報を受信して復調する際に、ＰＬＭＮ情報を検出しない可能性がある。
【００８１】
ＰＬＭＮ情報が検出されないということは、図６に示すシナリオ１によって生じる可能性がある。すなわち、別の事業者が、隣接する地理的領域に同じＣｅｌｌ−ＩＤを持つ別のセルを配備し、ＵＥ１は元々事業者１のＵＥであり、ＵＥが事業者２のｃｅｌｌ２の範囲に移動する。ＵＥは、Ｐｃｅｌｌ／Ｓｃｅｌｌの制御チャネルでネットワーク側から送信される第１のダウンリンク共有チャネルのスケジューリング情報を受信することによりＣｅｌｌ２／Ｏｐｅｒａｔｏｒ１の第１のダウンリンク共有チャネルを検出するが、ＵＥは、すでにＣｅｌｌ２／Ｏｐｅｒａｔｏｒ１から遠ざかっており、Ｃｅｌｌ２／Ｏｐｅｒａｔｏｒ２の近くにある。その場合、ＵＥは、Ｃｅｌｌ２／Ｏｐｅｒａｔｏｒ１の第１のダウンリンク共有チャネルを検出しない可能性があり、その結果、ＳｃｅｌｌのＰＬＭＮ情報を検出することができない。
【００８２】
ＰＬＭＮ情報が検出されないということは、図１に示すシナリオ２によっても生じる場合がある。すなわち、別の事業者が同じ地理的領域に同じＣｅｌｌ−ＩＤを持つ別のセルを配備し、ＵＥ１は元々事業者１のＵＥである。ＵＥは、Ｐｃｅｌｌの制御チャネルでネットワーク側から送信される第１のダウンリンク共有チャネルのスケジューリング情報を受信することにより、Ｃｅｌｌ２／Ｏｐｅｒａｔｏｒ１の第１のダウンリンク共有チャネルを検出する。しかし、Ｃｅｌｌ２／Ｏｐｅｒａｔｏｒ１の第１のダウンリンク共有チャネルはＣｅｌｌ２／Ｏｐｅｒａｔｏｒ２の干渉を受け、その場合、ＵＥはＣｅｌｌ２／Ｏｐｅｒａｔｏｒ１の第１のダウンリンク共有チャネルを検出しない可能性があり、その結果ＳｃｅｌｌでＰＬＭＮ情報を検出することができない。或いは、ＵＥは、Ｓｃｅｌｌの制御チャネルでネットワーク側から送信される第１のダウンリンク共有チャネルのスケジューリング情報を受信することにより、Ｃｅｌｌ２／Ｏｐｅｒａｔｏｒ１の第１のダウンリンク共有チャネルを検出する。しかし、Ｃｅｌｌ２／Ｏｐｅｒａｔｏｒ１の第１のダウンリンク共有チャネルと、第１のダウンリンク共有チャネルに対応するスケジューリング情報の伝送チャネルは、Ｃｅｌｌ２／Ｏｐｅｒａｔｏｒ２の干渉を受け、その場合、ＵＥはＣｅｌｌ２／Ｏｐｅｒａｔｏｒ１の第１のダウンリンク共有チャネルのスケジューリング情報及び第１のダウンリンク共有チャネルの情報を検出しない可能性があり、その結果ＳｃｅｌｌのＰＬＭＮ情報を検出することができない。
【００８３】
方式２
ネットワーク側がＳｃｅｌｌで第２のダウンリンク共有チャネルを使用してＰＬＭＮをＵＥに送信し、ＵＥは、第２のダウンリンク共有チャネルを使用して、Ｓｃｅｌｌでネットワーク側から送信されるＰＬＭＮを探索し、図８に示すように、第２のダウンリンク共有チャネルに対応するリソースは、Ｓｃｅｌｌのセル識別子に対応する事前設定されたリソースである。
【００８４】
事前設定されたリソースでＳｃｅｌｌのＰＬＭＮ情報を受信して復調する際、ＵＥは、ＳｃｅｌｌのＰＬＭＮ情報がＰｃｅｌｌのＰＬＭＮ情報と異なることを検出する可能性がある。
【００８５】
ＳｃｅｌｌのＰＬＭＮ情報がＰｃｅｌｌのＰＬＭＮ情報と異なることは、図６に示すシナリオ１によって生じる可能性がある。ＵＥからはＣｅｌｌ２／Ｏｐｅｒａｔｏｒ２の方が近く、また第２のダウンリンク共有チャネルを送信するための事前設定された特定のリソースが同じであるため、ＵＥは、その特定のリソースでＣｅｌｌ２／Ｏｐｅｒａｔｏｒ２の第２のダウンリンク共有チャネルを検出し、したがって、Ｃｅｌｌ２／Ｏｐｅｒａｔｏｒ２から送信されたＰＬＭＮ情報と、ＰｃｅｌｌでＵＥ１により受信されたＰＬＭＮ情報とを検出する。
【００８６】
また、その場合、ＵＥはＳｃｅｌｌのＰＬＭＮ情報を検出しない可能性がある。
【００８７】
ＰＬＭＮ情報が検出されないということは、図１に示すシナリオ２によっても生じる可能性がある。Ｃｅｌｌ２／Ｏｐｅｒａｔｏｒ１の第２のダウンリンク共有チャネルはＣｅｌｌ２／Ｏｐｅｒａｔｏｒ２の干渉を受け、その場合、ＵＥはＣｅｌｌ２／Ｏｐｅｒａｔｏｒ１の第２のダウンリンク共有チャネルを検出しない可能性があり、その結果ＳｃｅｌｌのＰＬＭＮ情報を検出することができない。
【００８８】
方式３
ネットワーク側がＳｃｅｌｌで第３のダウンリンク共有チャネルを使用してＰＬＭＮをＵＥに送信し、ＵＥは、第３のダウンリンク共有チャネルを使用して、Ｓｃｅｌｌでネットワーク側から送信されるＰＬＭＮを探索し、ここで、取り決められた事前に設定されたシーケンス、例えばＰＳＳシーケンス、ＳＳＳシーケンス、又はＣＲＳシーケンスが、第３のダウンリンク共有チャネルで送信される。
【００８９】
任意に、ネットワーク側が、ＰＬＭＮ情報及び事前設定されたシーケンスを、第３のダウンリンク共有チャネルで、事前設定されたシーケンスをＰＬＭＮ情報を使用してスクランブルして送信する。ＵＥは、Ｐｃｅｌｌでネットワーク側から送信されたＰＬＭＮを使用して受信信号をスクランブル解除し、スクランブル解除された信号が、ＵＥで記憶されている事前設定されたシーケンスに関係付けられていると判定し、Ｓｃｅｌｌでネットワーク側から送信されたＰＬＭＮが受信されたと判定し、そのＰＬＭＮが、Ｐｃｅｌｌでネットワーク側から送信されたＰＬＭＮと一致すると判定する。
【００９０】
例えば、Ｓｃｅｌｌで第３のダウンリンク共有チャネルで送信されるＣＲＳシーケンスに関する情報は、Ｓ１，Ｓ２，．．．，ＳＮであり、ＮはＣＲＳシーケンスの長さであり、Ｓｃｅｌｌの第３のダウンリンク共有チャネルで送信されるＰＬＭＮ情報は、Ｓ’１，Ｓ’２，．．．，Ｓ’Ｍであり、ＭはＰＬＭＮ情報のシーケンス長であり、Ｍ≦Ｎである。この場合、Ｓｃｅｌｌの第３のダウンリンク共有チャネルで実際に送信されるシーケンスはＸであり、
Ｘｎ＝Ｓｎ１＋Ｓ’ｎ２，  Ｘｎ＋１＝Ｓｎ１＋１＋Ｓ’ｎ２＋１，．．．．
となる。
【００９１】
ＳｃｅｌｌのＰＬＭＮ情報を受信して復調する際、ＵＥは、Ｐｃｅｌｌで受信したＰＬＭＮ情報に従って受信信号をスクランブル解除することができ、次いで、ＵＥは、スクランブル解除で得られた信号を、第３のダウンリンク共有チャネルで送信される事前設定されたＣＲＳシーケンス情報と比較する。スクランブル解除で得られた信号が、ＵＥで記憶しているＣＲＳシーケンス情報と関係付けられている場合は、ＵＥは、Ｓｃｅｌｌの第３のダウンリンク共有チャネルでネットワーク側から送信されたＰＬＭＮ情報が、Ｐｃｅｌｌでネットワーク側から送信されたＰＬＭＮ情報と同じであると判定する。そうでなく、スクランブル解除で得られた信号が、ＵＥで記憶しているＣＲＳシーケンス情報と関係付けられていない場合、ＵＥは、Ｓｃｅｌｌの第３のダウンリンク共有チャネルでネットワーク側から送信されたＰＬＭＮ情報が、Ｐｃｅｌｌでネットワーク側から送信されたＰＬＭＮ情報と異なると判定する。
【００９２】
本発明の実施形態４によると、ネットワーク側装置に対して、スペクトルにおけるセル識別子を判定する方法が提供され、図９に示すように、この方法は下記のステップを含む。
【００９３】
ステップ９０１．時間整合を行うことを判定した場合に、整合システム時間を、記憶されているＭ個の時間区間に従って時間区間内の時間位置と合わせ、記憶されているＭ個の時間区間の循環順序に従って、事前設定された循環順序でＭ個の時間区間がシステム時間に対応する関係を確立し、Ｍは１より大きい整数である。
【００９４】
ステップ９０２．ユーザ機器ＵＥとの通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでＵＥとの通信を行い、異なるワイヤレスネットワーク事業者ごとに、同じ時間区間に対応するＣｅｌｌ−ＩＤは異なる。
【００９５】
本発明の本実施形態では、複数の時間区間が事前に定義されて記憶され、ある瞬間のシステム時間が時間区間中の一時点と合わせられた後に、システム時間が更新されると、Ｍ個の時間区間は、事前に設定された循環順序でシステム時間に対応する。
【００９６】
任意に、ネットワーク側は、記憶されているＭ個の時間区間、Ｍ個の時間区間の循環順序、及びＭ個の時間区間とＣｅｌｌ−ＩＤとの間の対応関係をＵＥに送付し、ネットワーク側で維持されている情報とＵＥで維持されている情報が常に一致するようにする。
【００９７】
ネットワーク側とＵＥ側は、システム時間を時間区間と合わせる方式を取り決めることができ、又は、ネットワーク側とＵＥ側は、Ｍ個の時間とＭ個の時間区間の循環順序だけを取り決め、ネットワーク側がシステム時間を時間区間と合わせる方式を判定した後に、ネットワーク側が、下記の方式のいずれかで、整合をどのように実施するかをＵＥに通知し、それによりＵＥは、現在のシステム時間に対応する時間区間と、その時間区間における現在のシステム時間の位置とを判定して、次の時間区間への切り替えが行われる時間を事前に知り、また各時間区間に対応するＣｅｌｌ−ＩＤを判定し、ネットワーク側がどの時間にどのＣｅｌｌ−ＩＤを使用するかを把握する。
【００９８】
方式１
タイミングの瞬間が到達した場合に、ネットワーク側は、現在のシステム時間の時間区間と、その時間区間における現在のシステム時間の時間位置とを判定し、
判定された時間位置と、現在のシステム時間の時間区間に対応するＣｅｌｌ−ＩＤとをＵＥにブロードキャストする。
【００９９】
方式２
ＵＥの時間要求が受信された場合に、現在のシステム時間の時間区間と、その時間区間における現在のシステム時間の時間位置とが判定され、
判定された時間位置と、現在のシステム時間の時間区間に対応するＣｅｌｌ−ＩＤとがＵＥに送信される。
【０１００】
方式３
ＵＥが最初のアクセスを行う時又はセルのハンドオーバーが発生する場合に、ＵＥとの接続を確立する必要があると判定されると、現在のシステム時間の時間区間と、その時間区間における現在のシステム時間の時間位置とが判定され、
判定された時間位置と、現在のシステム時間の時間区間に対応するＣｅｌｌ−ＩＤとがＵＥに送信される。
【０１０１】
方式４
ＵＥとの通信が、判定された時間区間に対応するＣｅｌｌ−ＩＤを使用して共有スペクトルのキャリアで行われる場合に、方法はさらに、その時間区間における現在のシステム時間の時間位置をＵＥに送信するステップを含む。
【０１０２】
すなわち、ネットワーク側がＵＥに当該時間区間における現在のシステム時間の時間位置と現在のシステム時間の時間区間に対応するＣｅｌｌ−ＩＤとの両方を通知する限り、ＵＥ側は時間整合を実施することができる。
【０１０３】
任意に、異なるワイヤレスネットワーク事業者ごとに、同じ時間区間に対応するＣｅｌｌ−ＩＤは異なる。これにより、異なる事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
【０１０４】
ＵＥ側に対して、本発明の実施形態５はさらに、スペクトルにおけるセル識別子を判定する方法を提供し、図１０に示すように、この方法は下記のステップを含む。
【０１０５】
ステップ１００１．時間整合を行うことを判定した場合に、整合システム時間を、記憶されているＭ個の時間区間のうちの時間区間内の時間位置と合わせ、記憶されているＭ個の時間区間の循環順序に従って、事前設定された循環順序でＭ個の時間区間がシステム時間に対応する関係を確立し、Ｍは１より大きい整数である。
【０１０６】
ステップ１００２．ネットワーク側との通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでネットワーク側との通信を行う。
【０１０７】
本発明の本実施形態では、ネットワーク側装置は、共有スペクトルにおいて時間変動するＣｅｌｌ−ＩＤを計画して共有スペクトルのキャリアで使用し、ユーザ機器は、Ｃｅｌｌ−ＩＤの時間変動規則に従って、ネットワーク側装置で現在使用されているＣｅｌｌ−ＩＤを判定する。本発明の本実施形態における方法によると、時間変動するＣｅｌｌ−ＩＤが使用されるので、共有スペクトルのリソースで複数の事業者のネットワークデバイスに使用されているＣｅｌｌ−ＩＤが可能な限り異なるようになる。これにより、異なる事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
【０１０８】
任意に、ＵＥは、ネットワーク側との間で取り決められた方式でシステム時間を対応する時間区間と合わせるか、又は、ＵＥは、ネットワーク側からの通知に従って時間整合を実施することができ、具体的には下記の方式のいずれかが使用される可能性がある。
【０１０９】
方式１
ネットワーク側がＵＥとの通信を共有スペクトルのキャリアでＣｅｌｌ−ＩＤを使用して行う必要があると判定した場合にネットワーク側から送信されるＣｅｌｌ−ＩＤ及び時間位置ｔを受信した場合に、時間整合を行うことを判定し、記憶されているＭ個の時間区間とＣｅｌｌ−ＩＤとの間の対応関係に従って、受信されたＣｅｌｌ−ＩＤに対応する時間区間を判定し、整合システム時間を、判定された時間区間内の時間位置ｔと合わせる。
【０１１０】
方式２
タイミングの瞬間が到達した場合にネットワーク側から送信されるＣｅｌｌ−ＩＤ及び時間位置ｔが受信された場合に、時間整合を行うことが判定され、受信されたＣｅｌｌ−ＩＤに対応する時間区間が、記憶されているＭ個の時間区間とＣｅｌｌ−ＩＤとの間の対応関係に従って判定され、整合システム時間が、判定された時間区間内の時間位置ｔと合わせられる。
【０１１１】
方式３
ネットワーク側がＵＥに接続することを判定した場合にネットワーク側から送信されるＣｅｌｌ−ＩＤ及び時間位置ｔが  場合に、時間整合を行うことが判定され、受信されたＣｅｌｌ−ＩＤに対応する時間区間が、記憶されているＭ個の時間区間とＣｅｌｌ−ＩＤとの間の対応関係に従って判定され、整合システム時間が、判定された時間区間内の時間位置ｔと合わせられる。
【０１１２】
方式４
ＵＥの要求に応じてネットワーク側から送信されるＣｅｌｌ−ＩＤ及び時間位置ｔが受信された場合に、時間整合を行うことが判定され、受信されたＣｅｌｌ−ＩＤに対応する時間区間が、記憶されているＭ個の時間区間とＣｅｌｌ−ＩＤとの間の対応関係に従って判定され、整合システム時間が、判定された時間区間内の時間位置ｔと合わせられる。
【０１１３】
本発明の本実施形態では、ネットワーク側装置が時間変動するＣｅｌｌ−ＩＤを共有スペクトルで計画して使用し、図１１に示すように、例えばＣｅｌｌ−ＩＤ１がｔ１〜ｔ２の期間に使用され、Ｃｅｌｌ−ＩＤ２がｔ２〜ｔ３．．．の期間に使用され、Ｃｅｌｌ−ＩＤ３がｔ３〜ｔ４．．．の期間に使用される。ｔｎ〜ｔｎ＋１の時間を、Ｍ個の等しい時間区間に分割することができる。
【０１１４】
Ｃｅｌｌ−ＩＤ１、Ｃｅｌｌ−ＩＤ２、Ｃｅｌｌ−ＩＤ３．．．の順序の規則と、各Ｃｅｌｌ−ＩＤが使用される継続時間は、ネットワーク側装置とユーザ機器で取り決めることができる。Ｃｅｌｌ−ＩＤ１が現在使用されている場合、ネットワーク側装置とユーザ機器は、事前に設定された規則に従って、次の瞬間にはＣｅｌｌ−ＩＤ２を使用することを取り決める。
【０１１５】
Ｃｅｌｌ−ＩＤ１、Ｃｅｌｌ−ＩＤ２、Ｃｅｌｌ−ＩＤ３、．．．の順序の規則は、ネットワーク側装置が属する事業者のＰＬＭＮ情報（実施形態１と同様に、ＰＬＭＮの一部又はすべてのことを指す）に関係付けられる。異なるワイヤレスネットワーク事業者ごとに、同じ時間区間に対応するＣｅｌｌ−ＩＤは異なる。例えば、１日の２４時間の時間をＭ個の時間区間に等分する。各事業者は、その事業者のＰＬＭＮ情報に従って、各時間区間に使用されるＣｅｌｌ−ＩＤを判定することができる。例えば、事前に定義されたＣｅｌｌ−ＩＤの変更モードを下記に示す。ＰＬＭＮ情報が１の事業者は、事前定義されたＣｅｌｌ−ＩＤ変更モードの１番目の行の事前定義されたＣｅｌｌ−ＩＤ変更モードを使用し、すなわち、Ｍ個の時間区間の最初の時間区間ではＣｅｌｌ−ＩＤ１が使用され、２番目の時間区間ではＣｅｌｌ−ＩＤ２が使用され．．．、Ｍ番目の時間区間ではＣｅｌｌ−ＩＤ  Ｍが使用される。ＰＬＭＮ情報が２の事業者は、事前定義されたＣｅｌｌ−ＩＤ変更モードの２番目の行の事前定義されたＣｅｌｌ−ＩＤ変更モードを使用し、すなわち、Ｍ個の時間区間の最初の時間区間ではＣｅｌｌ−ＩＤ２が使用され、２番目の時間区間ではＣｅｌｌ−ＩＤ３が使用され．．．、Ｍ番目の時間区間ではＣｅｌｌ−ＩＤ１が使用される。Ｃｅｌｌ＿ＩＤ＿ｐａｔｔｅｒｎは共有スペクトルにおける事前定義されたＣｅｌｌ＿ＩＤの変更規則であり、共有スペクトルではＣｅｌｌ＿ＩＤの規則に従ってＣｅｌｌ＿ＩＤが採用され、計画される。Ｃｅｌｌ＿ＩＤ＿ｐａｔｔｅｒｎの設計原理は、同じ時間区間では同じＣｅｌｌ−ＩＤを可能な限り避けるというものであり、具体的なＣｅｌｌ＿ＩＤ＿ｐａｔｔｅｒｎは本発明では制限されず、
【数１】
2017505041.tif 000003
とする。
【０１１６】
本発明では、セル識別子の計画規則が事前に定義されるか、又はユーザ機器がセル識別子の計画を支援して、異なる事業者が同じ地理的領域内の共有スペクトルで同じＣｅｌｌ−ＩＤを持つセルを計画することを回避するか、又は、ユーザ機器が、異なる事業者が共有スペクトルで同じＣｅｌｌ−ＩＤを使用していることを特定し、特定した結果をネットワーク側装置にフィードバックする。これにより、異なる事業者が同じ地理的領域の共有スペクトルで同じＣｅｌｌ−ＩＤを持つセルを計画したために生じる無効な又は誤ったスケジューリング結果に起因してネットワークによって実行される混乱したユーザデータスケジューリングの問題を回避する。
【０１１７】
本発明は、非免許スペクトルに加えて、他の免許スペクトルの共有スペクトルにも適用することができる。
【０１１８】
これと同じ発明の発想に基づき、本発明の実施形態はさらにネットワーク側装置及びユーザ機器ＵＥを提供する。装置が問題を解決する原理は上述の実施形態で提供される方法の原理と同様であるため、装置の実装例に関して方法の実装例を参照することがあり、重複する詳細事項は説明を繰り返さない。
【０１１９】
本発明の実施形態６はネットワーク側装置を提供し、図１２に示すように、この装置は、
プライマリセルＰｃｅｌｌで、第１のワイヤレスネットワーク識別子をＵＥに送信するように構成された第１の送信部１２０１であって、Ｐｃｅｌｌで使用されるキャリアは、非共有スペクトルのキャリアである、第１の送信部１２０１と、
セカンダリセルＳｃｅｌｌで、第１のワイヤレスネットワーク識別子と同じ第２のワイヤレスネットワーク識別子をＵＥに送信し、それにより、ＵＥが、ＵＥがネットワーク側とＳｃｅｌｌで通信することができるかどうかを判定するように構成された第２の送信部１２０２であって、Ｓｃｅｌｌで使用されるキャリアは共有スペクトルのキャリアであり、第１のワイヤレスネットワーク識別子／第２のワイヤレスネットワーク識別子は１つのワイヤレスネットワーク事業者を一意に識別する、第２の送信部１２０２と、を備える。
【０１２０】
任意に、上記装置はさらに、第１のワイヤレスネットワークがＰｃｅｌｌでＵＥに送信され、第２のワイヤレスネットワーク識別子がＳｃｅｌｌでＵＥに送信された後、ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合には、ＵＥに対してリソース構成及びデータスケジューリングを行うことを省略するか、又はＳｃｅｌｌのセル識別子を変更するように構成されたスケジューリング中止部を備える。
【０１２１】
任意に、上記装置はさらに、第１のワイヤレスネットワーク識別子がＰｃｅｌｌでＵＥに送信され、第２のワイヤレスネットワーク識別子がＳｃｅｌｌでＵＥに送信された後、ＵＥから返信されるとともに、Ｓｃｅｌｌの信号測定結果を含んでいるフィードバック情報が受信されると、Ｓｃｅｌｌの信号測定結果に従って、ＵＥに対してリソース構成及びデータスケジューリングを行うように構成されたスケジューリング部を備える。
【０１２２】
任意に、第２の送信部は、詳細には、Ｓｃｅｌｌで第１のダウンリンク共有チャネルを使用して第２のワイヤレスネットワーク識別子をＵＥに送信し、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間又はＳｃｅｌｌの共通探索空間である。
【０１２３】
任意に、第２の送信部は、詳細には、Ｓｃｅｌｌで第２のダウンリンク共有チャネルを使用して第２のワイヤレスネットワーク識別子をＵＥに送信するように構成され、第２のダウンリンク共有チャネルに対応するリソースは、Ｓｃｅｌｌのセル識別子に対応する事前設定されたリソースである。
【０１２４】
任意に、第２の送信部は、詳細には、Ｓｃｅｌｌで、第３のダウンリンク共有チャネルを使用して、第２のワイヤレスネットワーク識別子と、第２のワイヤレスネットワーク識別子を識別するために使用される事前設定されたシーケンスとをＵＥに送信するように構成される。
【０１２５】
任意に、第２の送信部は、詳細には、第２のワイヤレスネットワーク識別子及び事前設定されたシーケンスを、第３のダウンリンク共有チャネルで、事前設定されたシーケンスを第２のワイヤレスネットワーク識別子を使用してスクランブルしてＵＥに送信するように構成される。
【０１２６】
任意に、第２の送信部に使用される事前設定されたシーケンスは、下記のシーケンス、すなわち
プライマリ同期信号ＰＳＳシーケンス、セカンダリ同期信号ＳＳＳシーケンス、及びセル固有参照信号ＣＲＳシーケンスのうちのいずれか１つ又は複数である。
【０１２７】
任意に、第１のワイヤレスネットワーク識別子／第２のワイヤレスネットワーク識別子は、公衆陸上モバイルネットワーク識別子ＰＬＭＮ  ＩＤの一部又はすべての内容である。
【０１２８】
任意に、第１のワイヤレスネットワーク識別子／第２のワイヤレスネットワーク識別子は、ＰＬＭＮ  ＩＤ中のモバイルネットワークコードＭＮＣである。
【０１２９】
システム情報ブロックＳＩＢ−１をブロードキャストすることにより、第１の送信部がＰｃｅｌｌで第１のワイヤレスネットワーク識別子をＵＥに送信し、第２の送信部がＳｃｅｌｌで第２のワイヤレスネットワーク識別子をＵＥに送信する。
【０１３０】
本発明の実施形態７は、プロセッサとデータトランシーバインターフェースとを備えるネットワーク側装置を提供し、
プロセッサは、プライマリセルＰｃｅｌｌで第１のワイヤレスネットワーク識別子をＵＥに送信し、Ｐｃｅｌｌで使用されるキャリアは非共有スペクトルのキャリアであり、セカンダリセルＳｃｅｌｌで、第１のワイヤレスネットワーク識別子と同じ第２のワイヤレスネットワーク識別子をＵＥに送信し、それにより、ＵＥが、ＵＥがＳｃｅｌｌでネットワーク側と通信することができるかどうかを判定するように構成され、Ｓｃｅｌｌで使用されるキャリアは共有スペクトルのキャリアであり、第１のワイヤレスネットワーク識別子／第２のワイヤレスネットワーク識別子は１つのワイヤレスネットワーク事業者を一意に識別し、
データトランシーバインターフェースは、プロセッサとＵＥとの間のデータ通信を実施するように構成される。
【０１３１】
それに対応して、本発明の実施形態８はさらに、スペクトルの使用を判定するユーザ機器ＵＥを提供し、図１３に示すように、このＵＥは、
プライマリセルＰｃｅｌｌでネットワーク側から送信される第１のワイヤレスネットワーク識別子を受信し、セカンダリセルＳｃｅｌｌでネットワーク側から送信される第２のワイヤレスネットワーク識別子を探索するように構成された探索部１３０１であって、Ｐｃｅｌｌで使用されるキャリアは非共有スペクトルのキャリアであり、Ｓｃｅｌｌで使用されるキャリアは共有スペクトルのキャリアである、探索部１３０１と、
Ｓｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致すると判定される場合、ネットワーク側との通信をＳｃｅｌｌで行うことができると判定するように構成された第１の判定部１３０２と、
Ｓｃｅｌｌでネットワーク側から送信される第２のワイヤレスネットワーク識別子が受信されない場合、又はＳｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致しないと判定される場合、ネットワーク側との通信をＳｃｅｌｌで行うことができないと判定するように構成された第２の判定部１３０３と、を備える。
【０１３２】
任意に、ＵＥは、ネットワーク側との通信をＳｃｅｌｌで行うことができると判定した場合、Ｓｃｅｌｌの信号測定結果をネットワーク側にフィードバックするように構成された第１のフィードバック部をさらに備える。
【０１３３】
任意に、ＵＥは、
ネットワーク側との通信をＳｃｅｌｌで行うことができないと判定した場合、Ｓｃｅｌｌの信号測定結果をネットワーク側にフィードバックするのを省略するか、又は、ネットワーク側に、Ｓｃｅｌｌの信号測定結果が無効であることを示すフィードバック情報をフィードバックするか、又は、ネットワーク側に、Ｓｃｅｌｌのセル識別子の変更を命じるフィードバック情報をフィードバックするように構成された第２のフィードバック部をさらに備える。
【０１３４】
任意に、探索部は、第１のダウンリンク共有チャネルを使用して、Ｓｃｅｌｌでネットワーク側から送信される第２のワイヤレスネットワーク識別子を探索するように構成され、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間又はＳｃｅｌｌの共通探索空間である。
【０１３５】
任意に、探索部は、詳細には、第２のダウンリンク共有チャネルを使用して、Ｓｃｅｌｌでネットワーク側から送信される第２のワイヤレスネットワーク識別子を探索するように構成され、第２のダウンリンク共有チャネルに対応するリソースは、Ｓｃｅｌｌのセル識別子に対応する事前設定されたリソースである。
【０１３６】
任意に、探索部は、詳細には、第３のダウンリンク共有チャネルで、記憶されている事前設定されたシーケンスに従って、Ｓｃｅｌｌでネットワーク側から送信される第２のワイヤレスネットワーク識別子を探索するように構成される。
【０１３７】
任意に、探索部は、詳細には、Ｐｃｅｌｌでネットワーク側から送信される第１のワイヤレスネットワーク識別子を使用して、受信信号をスクランブル解除するように構成され、
第１の判定部は、詳細には、スクランブル解除された信号が、記憶されている事前設定されたシーケンスに関係付けられていることを判定し、Ｓｃｅｌｌでネットワーク側から送信される第２のワイヤレスネットワーク識別子が受信されたと判定し、第２のワイヤレスネットワーク識別子が、Ｐｃｅｌｌでネットワーク側から送信される第１のワイヤレスネットワーク識別子と一致すると判定するように構成される。
【０１３８】
任意に、事前設定されたシーケンスは、下記のシーケンス、すなわち
プライマリ同期信号ＰＳＳシーケンス、セカンダリ同期信号ＳＳＳシーケンス、及びセル固有参照信号ＣＲＳシーケンスのうちのいずれか１つ又は複数である。
【０１３９】
任意に、第１のワイヤレスネットワーク識別子／第２のワイヤレスネットワーク識別子は、公衆陸上モバイルネットワークＰＬＭＮの一部又はすべての内容である。
【０１４０】
任意に、第１のワイヤレスネットワーク識別子／第２のワイヤレスネットワーク識別子は、ＰＬＭＮ内のモバイルネットワークコードＭＮＣである。
【０１４１】
探索部は、詳細には、システム情報ブロックＳＩＢ−１をブロードキャストすることにより、Ｐｃｅｌｌでネットワーク側から送信される第１のワイヤレスネットワーク識別子を受信し、Ｓｃｅｌｌでネットワーク側から送信される第２のワイヤレスネットワーク識別子を探索するように構成される。
【０１４２】
本発明の実施形態９は、プロセッサとデータトランシーバインターフェースとを備えるＵＥを提供し、
プロセッサは、プライマリセルＰｃｅｌｌでネットワーク側から送信される第１のワイヤレスネットワーク識別子を受信し、セカンダリセルＳｃｅｌｌでネットワーク側から送信される第２のワイヤレスネットワーク識別子を探索し、Ｐｃｅｌｌで使用されるキャリアは非共有スペクトルのキャリアであり、Ｓｃｅｌｌで使用されるキャリアは共有スペクトルのキャリアであり、Ｓｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致すると判定される場合、ネットワーク側との通信をＳｃｅｌｌで行うことができると判定し、Ｓｃｅｌｌでネットワーク側から送信される第２のワイヤレスネットワーク識別子が受信されない場合、又はＳｃｅｌｌでネットワーク側から送信される第２のワイヤレスネットワーク識別子が受信され、且つ、第２のワイヤレスネットワーク識別子が、Ｐｃｅｌｌでネットワーク側から送信される第１のワイヤレスネットワーク識別子と一致しないと判定される場合、ネットワーク側との通信をＳｃｅｌｌで行うことができないと判定するように構成され、
データトランシーバインターフェースは、プロセッサとネットワーク側との間のデータ通信を実施するように構成される。
【０１４３】
本発明の実施形態１０によると、ネットワーク側装置がさらに提供され、図１４に示すように、この装置は、
時間整合を行うことを判定した場合に、整合システム時間を、記憶されているＭ個の時間区間に従って時間区間内の時間位置と合わせ、記憶されているＭ個の時間区間の循環順序に従って、事前設定された循環順序でＭ個の時間区間がシステム時間に対応する関係を確立するように構成された時間整合部１４０２であって、Ｍは１より大きい整数である、時間整合部１４０２と、
ユーザ機器ＵＥとの通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでＵＥとの通信を行うように構成された通信部１４０３であって、異なるワイヤレスネットワーク事業者ごとに、同じ時間区間に対応するＣｅｌｌ−ＩＤは異なる、通信部１４０３と、を備える。
【０１４４】
任意に、上記装置は、
記憶されているＭ個の時間区間、Ｍ個の時間区間の循環順序、及びＭ個の時間区間とＣｅｌｌ−ＩＤとの間の対応関係をＵＥに送付するように構成された送付部をさらに備える。
【０１４５】
任意に、上記装置は、
タイミングの瞬間が到達した場合に、現在のシステム時間の時間区間と、その時間区間における現在のシステム時間の時間位置ｔとを判定するように構成されたタイミング判定部と、
判定された時間位置ｔと、現在のシステム時間の時間区間に対応するＣｅｌｌ−ＩＤとをＵＥにブロードキャストするように構成されたブロードキャスト部とをさらに備える。
【０１４６】
任意に、上記装置は、
ＵＥの時間要求が受信された場合に、現在のシステム時間の時間区間と、その時間区間における現在のシステム時間の時間位置ｔとを判定するように構成された要求判定部と、
判定された時間位置ｔと、現在のシステム時間の時間区間に対応するＣｅｌｌ−ＩＤとをＵＥに送信するように構成された第１の送信部とをさらに備える。
【０１４７】
任意に、上記装置は、
ＵＥとの接続を確立する必要があると判定した場合に、現在のシステム時間の時間区間Ｔと、その時間区間における現在のシステム時間の時間位置ｔとを判定するように構成された接続判定部と、
判定された時間位置ｔと、現在のシステム時間の時間区間に対応するＣｅｌｌ−ＩＤとをＵＥに送信するように構成された第２の送信部とをさらに備える。
【０１４８】
任意に、通信部はさらに、上記時間区間に対応するＣｅｌｌ−ＩＤを使用して、ＵＥとの通信を共有スペクトルのキャリアで行う場合に、
その時間区間における現在のシステム時間の時間位置ｔをＵＥに送信するように構成される。
【０１４９】
任意に、異なるワイヤレスネットワーク事業者ごとに、同じ時間区間に対応するＣｅｌｌ−ＩＤは異なる。
【０１５０】
本発明の実施形態１１はさらにネットワーク側装置を提供し、この装置は、プロセッサとデータトランシーバインターフェースとを備え、
プロセッサは、時間整合を行うことを判定した場合に、整合システム時間を、記憶されているＭ個の時間区間に従って時間区間内の時間位置と合わせ、記憶されているＭ個の時間区間の循環順序に従って、事前設定された循環順序でＭ個の時間区間がシステム時間に対応する関係を確立するように構成され、Ｍは１より大きい整数であり、ユーザ機器ＵＥとの通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでＵＥとの通信を行うように構成され、異なるワイヤレスネットワーク事業者ごとに、同じ時間区間に対応するＣｅｌｌ−ＩＤは異なり、
データトランシーバインターフェースは、プロセッサとＵＥとの間のデータ通信を実施するように構成される。
【０１５１】
それに対応して、実施形態１２はさらにユーザ機器ＵＥを提供し、図１５に示すように、このＵＥは、
時間整合を行うことを判定した場合に、整合システム時間を、記憶されているＭ個の時間区間のうちの時間区間内の時間位置と合わせ、記憶されているＭ個の時間区間の循環順序に従って、事前設定された循環順序でＭ個の時間区間がシステム時間に対応する関係を確立するように構成された時間整合部１５０１であって、Ｍは１より大きい整数である、時間整合部１５０１と、
ネットワーク側との通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでネットワーク側との通信を行うように構成された通信部１５０２とを備える。
【０１５２】
任意に、ネットワーク側がＵＥとの通信を共有スペクトルのキャリアでＣｅｌｌ−ＩＤを使用して行う必要があると判定した場合にネットワーク側から送信されるＣｅｌｌ−ＩＤ及び時間位置ｔを受信した場合、又は、タイミングの瞬間が到達した場合にネットワーク側から送信されるＣｅｌｌ−ＩＤ及び時間位置ｔを受信した場合、又は、ＵＥの要求に応じてネットワーク側から送信されるＣｅｌｌ−ＩＤ及び時間位置ｔを受信した場合、又は、ネットワーク側がＵＥに接続することを判定した場合にネットワーク側から送信されるＣｅｌｌ−ＩＤ及び時間位置ｔを受信した場合に、時間整合部は、時間整合を行うことを判定し、記憶されているＭ個の時間区間とＣｅｌｌ−ＩＤとの間の対応関係に従って、受信されたＣｅｌｌ−ＩＤに対応する時間区間を判定し、整合システム時間を、判定された時間区間内の時間位置ｔと合わせる。
【０１５３】
本発明の実施形態１３はさらにＵＥを提供し、このＵＥはプロセッサとデータトランシーバインターフェースとを備え、
プロセッサは、時間整合を行うことを判定した場合に、整合システム時間を、記憶されているＭ個の時間区間のうちの時間区間内の時間位置と合わせ、記憶されているＭ個の時間区間の循環順序に従って、事前設定された循環順序でＭ個の時間区間がシステム時間に対応する関係を確立するように構成され、Ｍは１より大きい整数であり、ネットワーク側との通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでネットワーク側との通信を行うように構成され、
データトランシーバインターフェースは、プロセッサとネットワーク側との間のデータ通信を実施するように構成される。
【０１５４】
当業者は、本発明の実施形態は、方法、システム、又はコンピュータプログラム製品として提供され得ることを理解されよう。したがって、本発明は、ハードウェアのみによる実施形態、ソフトウェアのみによる実施形態、又はソフトウェアとハードウェアを組み合わせた実施形態の形態を使用することができる。さらに、本発明は、コンピュータ使用可能プログラムコードを含む１つ又は複数のコンピュータ使用可能記憶媒体（これらに限定されないが、ディスクメモリ、ＣＤ−ＲＯＭ、光学メモリ等を含む）で実施されるコンピュータプログラム製品の形態を使用することができる。
【０１５５】
本発明については、本発明の実施形態による方法、デバイス（システム）、及びコンピュータプログラム製品のフローチャート及び／又はブロック図を参照して説明する。コンピュータプログラム命令を使用して、フローチャート及び／又はブロック図における各プロセス及び／又は各ブロック、並びにフローチャート及び／又はブロック図におけるプロセス及び／又はブロックの組み合わせを実施できることを理解されたい。これらのコンピュータプログラム命令を、汎用コンピュータ、専用コンピュータ、組み込みプロセッサ、又は他のプログラム可能データ処理デバイスのプロセッサに提供してマシンを生成することができ、コンピュータ又は他のプログラム可能データ処理デバイスのプロセッサによって実行された命令により、フローチャート中の１つ若しくは複数のプロセス、及び／又はブロック図中の１つ若しくは複数のブロックの特定の機能を実施する装置が生成される。
【０１５６】
これらのコンピュータプログラム命令は、コンピュータ又は他のプログラム可能データ処理デバイスに特定の方式で動作するように命令することができるコンピュータ可読メモリに記憶することもでき、コンピュータ可読メモリに記憶された命令により、命令装置を含む物品が生成される。命令装置は、フローチャート中の１つ若しくは複数のプロセス、及び／又はブロック図中の１つ若しくは複数のブロックの特定の機能を実施する。
【０１５７】
これらのコンピュータプログラム命令は、コンピュータ又は他のプログラム可能データ処理デバイスにロードすることもでき、一連の動作及びステップがコンピュータ又は他のプログラム可能デバイスで行われ、それにより、コンピュータで実施される処理を生成する。したがって、コンピュータ又は他のプログラム可能デバイスで実行される命令は、フローチャート中の１つ若しくは複数のプロセス、及び／又はブロック図中の１つ若しくは複数のブロックの特定の機能を実施するステップを提供する。
【０１５８】
本発明のいくつかの好ましい実施形態について説明したが、当業者は、基本的な発明概念を把握すれば、それらの実施形態に変更及び改変を加えることができる。したがって、下記の特許請求の範囲は、本発明の範囲に該当する例示的実施形態とすべての変更及び改変を包含するものと解釈されることを意図する。
【０１５９】
言うまでもなく、当業者は、本発明の実施形態の主旨及び範囲から逸脱することなく、本発明の実施形態に様々な改変及び変形を加えることができる。本発明は、添付の特許請求の範囲及びそれと同等の技術によって定義される保護の範囲に該当することを条件として、これらの改変及び変形を包含することを意図する。
【図１】
2017505041.tif 000004
【図２】
2017505041.tif 000005
【図３】
2017505041.tif 000006
【図４】
2017505041.tif 000007
【図５】
2017505041.tif 000008
【図６】
2017505041.tif 000009
【図７】
2017505041.tif 000010
【図８】
2017505041.tif 000011
【図９】
2017505041.tif 000012
【図１０】
2017505041.tif 000013
【図１１】
2017505041.tif 000014
【図１２】
2017505041.tif 000015
【図１３】
2017505041.tif 000016
【図１４】
2017505041.tif 000017
【図１５】
2017505041.tif 000018
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
ネットワーク側装置がスペクトルの使用を指示する方法であって、
プライマリセル（Ｐｃｅｌｌ）で、第１のワイヤレスネットワーク識別子をユーザ機器（ＵＥ）に送信するステップであって、前記Ｐｃｅｌｌで使用されるキャリアは非共有スペクトルのキャリアである、ステップと、
セカンダリセル（Ｓｃｅｌｌ）で、前記第１のワイヤレスネットワーク識別子と同じ第２のワイヤレスネットワーク識別子を前記ＵＥに送信し、それにより、前記ＵＥが、前記ＵＥが前記Ｓｃｅｌｌでネットワーク側装置と通信するかどうかを判定するステップであって、前記Ｓｃｅｌｌで使用されるキャリアは共有スペクトルのキャリアであり、前記第１のワイヤレスネットワーク識別子／前記第２のワイヤレスネットワーク識別子は１つのワイヤレスネットワーク事業者を一意に識別する、ステップと
を含む方法。
【請求項２】
前記Ｐｃｅｌｌで前記第１のワイヤレスネットワーク識別子をＵＥに送信し、前記Ｓｃｅｌｌで前記第２のワイヤレスネットワーク識別子を前記ＵＥに送信する前記ステップの後に、
前記ＵＥから返信されるとともに、前記Ｓｃｅｌｌの信号測定結果を含んでいるフィードバック情報が受信されないと判定した場合、又は、前記ＵＥから返信されるとともに、前記Ｓｃｅｌｌの信号測定結果が無効であることを示すフィードバック情報が受信されたと判定した場合、又は、前記ＵＥから返信されるとともに、前記Ｓｃｅｌｌのセル識別子の変更を命じるフィードバック情報が受信されたと判定した場合は、前記ＵＥに対してリソース構成及びデータスケジューリングを行うことを省略するか、又は前記Ｓｃｅｌｌの前記セル識別子を変更するステップと、
前記ＵＥから返信されるとともに、前記Ｓｃｅｌｌの信号測定結果を含んでいる前記フィードバック情報が受信された場合、前記Ｓｃｅｌｌの信号測定結果に従って、前記ＵＥに対してリソース構成及びデータスケジューリングを行うステップと
をさらに含む請求項１に記載の方法。
【請求項３】
前記Ｓｃｅｌｌで前記第２のワイヤレスネットワーク識別子を前記ＵＥに送信する前記ステップが、
前記Ｓｃｅｌｌで、第１のダウンリンク共有チャネルを使用して前記第２のワイヤレスネットワーク識別子を前記ＵＥに送信するステップであって、前記第１のダウンリンク共有チャネルに対応するスケジューリング情報の伝送チャネルは、制御チャネルの第１の共通探索空間にあり、制御チャネルの前記第１の共通探索空間は、前記Ｐｃｅｌｌの共通探索空間若しくは前記Ｓｃｅｌｌの共通探索空間である、ステップ、又は、
前記Ｓｃｅｌｌで、第２のダウンリンク共有チャネルを使用して前記第２のワイヤレスネットワーク識別子を前記ＵＥに送信にするステップであって、前記第２のダウンリンク共有チャネルに対応するリソースは、前記Ｓｃｅｌｌのセル識別子に対応する事前設定されたリソースである、ステップ、又は、
前記Ｓｃｅｌｌで、第３のダウンリンク共有チャネルを使用して、前記第２のワイヤレスネットワーク識別子と、前記第２のワイヤレスネットワーク識別子を識別するために使用される事前設定されたシーケンスとを前記ＵＥに送信するステップ
を含む請求項１に記載の方法。
【請求項４】
前記Ｓｃｅｌｌで、前記第３のダウンリンク共有チャネルを使用して、前記第２のワイヤレスネットワーク識別子と、前記第２のワイヤレスネットワーク識別子を識別するために使用される前記事前設定されたシーケンスとを前記ＵＥに送信する前記ステップが、
前記第２のワイヤレスネットワーク識別子及び前記事前設定されたシーケンスを、前記第３のダウンリンク共有チャネルで、前記事前設定されたシーケンスを前記第２のワイヤレスネットワーク識別子を使用してスクランブルして、前記ＵＥに送信するステップであって、前記事前設定されたシーケンスは、下記のシーケンス、すなわちプライマリ同期信号（ＰＳＳ）シーケンス、セカンダリ同期信号（ＳＳＳ）シーケンス、及びセル固有参照信号（ＣＲＳ）シーケンスのうちのいずれか１つ又は複数である、ステップを含む請求項３に記載の方法。
【請求項５】
前記第１のワイヤレスネットワーク識別子／前記第２のワイヤレスネットワーク識別子が、公衆陸上モバイルネットワーク識別子（ＰＬＭＮ  ＩＤ）中のモバイル国コード（ＭＣＣ）及びモバイルネットワークコード（ＭＮＣ）であるか、又は、前記第１のワイヤレスネットワーク識別子／前記第２のワイヤレスネットワーク識別子がＰＬＭＮ  ＩＤ中のＭＮＣである請求項１に記載の方法。
【請求項６】
前記Ｐｃｅｌｌで、前記第１のワイヤレスネットワーク識別子をＵＥに送信する前記ステップが、
システム情報ブロック（ＳＩＢ−１）をブロードキャストすることにより、前記Ｐｃｅｌｌで前記第１のワイヤレスネットワーク識別子を前記ＵＥに送信するステップを含み、
前記Ｓｃｅｌｌで前記第２のワイヤレスネットワーク識別子を前記ＵＥに送信する前記ステップが、
前記ブロードキャストされたシステム情報ブロック（ＳＩＢ−１）を使用して、前記Ｓｃｅｌｌで前記第２のワイヤレスネットワーク識別子を前記ＵＥに送信するステップを含む請求項１に記載の方法。
【請求項７】
ユーザ機器（ＵＥ）がスペクトルの使用を判定する方法であって、
プライマリセル（Ｐｃｅｌｌ）でネットワーク側装置から送信される第１のワイヤレスネットワーク識別子を受信し、セカンダリセル（Ｓｃｅｌｌ）で前記ネットワーク側装置から送信される第２のワイヤレスネットワーク識別子を探索するステップであって、前記Ｐｃｅｌｌで使用されるキャリアは非共有スペクトルのキャリアであり、前記Ｓｃｅｌｌで使用されるキャリアは共有スペクトルのキャリアである、ステップと、
前記Ｓｃｅｌｌで前記ネットワーク側装置から送信された前記第２のワイヤレスネットワーク識別子が受信され、且つ、前記第２のワイヤレスネットワーク識別子が、前記Ｐｃｅｌｌで前記ネットワーク側装置から送信された前記第１のワイヤレスネットワーク識別子と一致すると判定する場合、前記ネットワーク側との通信を前記Ｓｃｅｌｌで行うと判定するステップと、
前記Ｓｃｅｌｌで前記ネットワーク側装置から送信された前記第２のワイヤレスネットワーク識別子が受信されない場合、又は、前記Ｓｃｅｌｌで前記ネットワーク側装置から送信された前記第２のワイヤレスネットワーク識別子が受信され、且つ、前記第２のワイヤレスネットワーク識別子が、前記Ｐｃｅｌｌで前記ネットワーク側装置から送信された前記第１のワイヤレスネットワーク識別子と一致しないと判定する場合、前記ネットワーク側装置との通信を前記Ｓｃｅｌｌで行わないと判定するステップと
を含む方法。
【請求項８】
前記ネットワーク側装置との通信を前記Ｓｃｅｌｌで行うと判定した場合に、前記Ｓｃｅｌｌの信号測定結果を前記ネットワーク側装置にフィードバックするステップをさらに含むか、又は、
前記ネットワーク側装置との通信を前記Ｓｃｅｌｌで行わないと判定した場合に、前記Ｓｃｅｌｌの信号測定結果を前記ネットワーク側装置にフィードバックすることを回避するか、若しくは、前記ネットワーク側装置に、前記Ｓｃｅｌｌの信号測定結果が無効であることを示すフィードバック情報をフィードバックするか、若しくは、前記ネットワーク側装置に、前記Ｓｃｅｌｌのセル識別子の変更を命じるフィードバック情報をフィードバックするステップをさらに含む請求項７に記載の方法。
【請求項９】
前記セカンダリセル（Ｓｃｅｌｌ）で前記ネットワーク側装置から送信される前記第２のワイヤレスネットワーク識別子を探索する前記ステップが、
第１のダウンリンク共有チャネルを使用して、前記Ｓｃｅｌｌで前記ネットワーク側装置から送信される前記第２のワイヤレスネットワーク識別子を探索するステップであって、前記第１のダウンリンク共有チャネルに対応するスケジューリング情報の伝送チャネルは、制御チャネルの第１の共通探索空間にあり、制御チャネルの前記第１の共通探索空間は、前記Ｐｃｅｌｌの共通探索空間若しくは前記Ｓｃｅｌｌの共通探索空間である、ステップ、又は、
第２のダウンリンク共有チャネルを使用して、前記Ｓｃｅｌｌで前記ネットワーク側装置から送信される前記第２のワイヤレスネットワーク識別子を探索するステップであって、前記第２のダウンリンク共有チャネルに対応するリソースは、前記Ｓｃｅｌｌのセル識別子に対応する事前設定されたリソースである、ステップ、又は、
第３のダウンリンク共有チャネルで、記憶されている事前設定されたシーケンスに従って、前記Ｓｃｅｌｌで前記ネットワーク側装置から送信される前記第２のワイヤレスネットワーク識別子を探索するステップ
を含む請求項７に記載の方法。
【請求項１０】
前記第３のダウンリンク共有チャネルで、前記記憶されている事前設定されたシーケンスに従って、前記Ｓｃｅｌｌで前記ネットワーク側装置から送信される前記第２のワイヤレスネットワーク識別子を探索する前記ステップが、
前記Ｐｃｅｌｌで前記ネットワーク側装置から送信される前記第１のワイヤレスネットワーク識別子を使用して、受信信号をスクランブル解除するステップと、
前記のスクランブル解除された信号が、前記記憶されている事前設定されたシーケンスに関係付けられていることを判定し、前記Ｓｃｅｌｌで前記ネットワーク側装置から送信される前記第２のワイヤレスネットワーク識別子が受信されたと判定し、前記第２のワイヤレスネットワーク識別子が、前記Ｐｃｅｌｌで前記ネットワーク側装置から送信された前記第１のワイヤレスネットワーク識別子と一致すると判定するステップであって、前記事前設定されたシーケンスは、下記のシーケンス、すなわちプライマリ同期信号（ＰＳＳ）シーケンス、セカンダリ同期信号（ＳＳＳ）シーケンス、及びセル固有参照信号（ＣＲＳ）シーケンスのうちのいずれか１つ又は複数である、ステップと
を含む請求項９に記載の方法。
【請求項１１】
前記Ｐｃｅｌｌで前記ネットワーク側装置から送信される前記第１のワイヤレスネットワーク識別子を受信する前記ステップが、システム情報ブロック（ＳＩＢ−１）をブロードキャストすることにより、前記Ｐｃｅｌｌで前記ネットワーク側装置から送信される前記第１のワイヤレスネットワーク識別子を受信するステップを含み、
Ｓｃｅｌｌで前記ネットワーク側装置から送信される第２のワイヤレスネットワーク識別子を探索する前記ステップが、前記ブロードキャストされたシステム情報ブロック（ＳＩＢ−１）を使用して、前記Ｓｃｅｌｌで前記ネットワーク側装置から送信される前記第２のワイヤレスネットワーク識別子を探索するステップを含む請求項７に記載の方法。
【請求項１２】
ネットワーク側装置であって、
プライマリセル（Ｐｃｅｌｌ）で、第１のワイヤレスネットワーク識別子をＵＥに送信するように構成された第１の送信部であって、前記Ｐｃｅｌｌで使用されるキャリアは、非共有スペクトルのキャリアである、第１の送信部と、
セカンダリセル（Ｓｃｅｌｌ）で、前記第１のワイヤレスネットワーク識別子と同じ第２のワイヤレスネットワーク識別子を前記ＵＥに送信し、それにより、前記ＵＥが、前記ＵＥがネットワーク側装置と前記Ｓｃｅｌｌで通信するかどうかを判定するように構成された第２の送信部であって、前記Ｓｃｅｌｌで使用されるキャリアは共有スペクトルのキャリアであり、前記第１のワイヤレスネットワーク識別子／前記第２のワイヤレスネットワーク識別子は１つのワイヤレスネットワーク事業者を一意に識別する、第２の送信部と
を備えるネットワーク側装置。
【請求項１３】
前記第１のワイヤレスネットワーク識別子が前記Ｐｃｅｌｌで前記ＵＥに送信され、前記第２のワイヤレスネットワーク識別子が前記Ｓｃｅｌｌで前記ＵＥに送信された後、前記ＵＥから返信されるとともに、前記Ｓｃｅｌｌの信号測定結果を含んでいるフィードバック情報が受信されないと判定した場合、又は、前記ＵＥから返信されるとともに、前記Ｓｃｅｌｌの信号測定結果が無効であることを示すフィードバック情報が受信されたと判定した場合、又は、前記ＵＥから返信されるとともに、前記Ｓｃｅｌｌのセル識別子の変更を命じるフィードバック情報が受信されたと判定した場合には、前記ＵＥに対してリソース構成及びデータスケジューリングを行うことを省略するか、又は前記Ｓｃｅｌｌの前記セル識別子を変更するように構成されたスケジューリング中止部と、
前記第１のワイヤレスネットワーク識別子が前記Ｐｃｅｌｌで前記ＵＥに送信され、前記第２のワイヤレスネットワーク識別子が前記Ｓｃｅｌｌで前記ＵＥに送信された後、前記ＵＥから返信されるとともに、前記Ｓｃｅｌｌの信号測定結果を含んでいる前記フィードバック情報が受信されると、前記Ｓｃｅｌｌの前記信号測定結果に従って、前記ＵＥに対してリソース構成及びデータスケジューリングを行うように構成されたスケジューリング部と
をさらに備える、請求項１２に記載の装置。
【請求項１４】
前記第２の送信部が、前記Ｓｃｅｌｌで第１のダウンリンク共有チャネルを使用して前記第２のワイヤレスネットワーク識別子を前記ＵＥに送信するように構成され、前記第１のダウンリンク共有チャネルに対応するスケジューリング情報の伝送チャネルは、制御チャネルの第１の共通探索空間にあり、制御チャネルの前記第１の共通探索空間は、前記Ｐｃｅｌｌの共通探索空間若しくは前記Ｓｃｅｌｌの共通探索空間であるか、又は、
前記第２の送信部が、前記Ｓｃｅｌｌで第２のダウンリンク共有チャネルを使用して前記第２のワイヤレスネットワーク識別子を前記ＵＥに送信するように構成され、前記第２のダウンリンク共有チャネルに対応するリソースは、前記Ｓｃｅｌｌのセル識別子に対応する事前設定されたリソースであるか、又は、
前記第２の送信部が、前記Ｓｃｅｌｌで、第３のダウンリンク共有チャネルを使用して、前記第２のワイヤレスネットワーク識別子と、前記第２のワイヤレスネットワーク識別子を識別するために使用される事前設定されたシーケンスとを前記ＵＥに送信するように構成される請求項１２に記載の装置。
【請求項１５】
前記第１の送信部が、システム情報ブロック（ＳＩＢ−１）をブロードキャストすることにより、前記Ｐｃｅｌｌで前記第１のワイヤレスネットワーク識別子を前記ＵＥに送信するように構成され、
前記第２の送信部が、前記ブロードキャストされたシステム情報ブロック（ＳＩＢ−１）を使用して、前記Ｓｃｅｌｌで前記第２のワイヤレスネットワーク識別子を前記ＵＥに送信するように構成される請求項１４に記載の装置。
【手続補正２】
【補正対象書類名】明細書
【補正対象項目名】０００９
【補正方法】変更
【補正の内容】
【０００９】
第１の態様によると、ネットワーク側装置がスペクトルの使用を指示する方法が提供され、この方法は、
プライマリセル（Ｐｃｅｌｌ）で、第１のワイヤレスネットワーク識別子をＵＥに送信するステップであって、Ｐｃｅｌｌで使用されるキャリアは非共有スペクトルのキャリアである、ステップと、
セカンダリセル（Ｓｃｅｌｌ）で、第１のワイヤレスネットワーク識別子と同じ第２のワイヤレスネットワーク識別子をＵＥに送信し、それにより、ＵＥが、ＵＥがＳｃｅｌｌでネットワーク側装置と通信することができるかどうかを判定するステップであって、Ｓｃｅｌｌで使用されるキャリアは共有スペクトルのキャリアであり、第１のワイヤレスネットワーク識別子／第２のワイヤレスネットワーク識別子は、１つのワイヤレスネットワーク事業者を一意に識別する、ステップとを含む。
【手続補正３】
【補正対象書類名】明細書
【補正対象項目名】００１０
【補正方法】変更
【補正の内容】
【００１０】
第１の態様を参照し、第１の可能な実装方式では、Ｐｃｅｌｌで第１のワイヤレスネットワーク識別子をＵＥに送信し、Ｓｃｅｌｌで第２のワイヤレスネットワーク識別子をＵＥに送信するステップの後に、上記方法は、
ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合は、ＵＥに対してリソース構成及びデータスケジューリングを行うことを省略するか、又はＳｃｅｌｌのセル識別子を変更するステップと、
ＵＥから返信されるとともに、Ｓｃｅｌｌの信号測定結果を含んでいるフィードバック情報が受信された場合、Ｓｃｅｌｌの信号測定結果に従って、ＵＥに対してリソース構成及びデータスケジューリングを行うステップとをさらに含む。
【手続補正４】
【補正対象書類名】明細書
【補正対象項目名】００１１
【補正方法】変更
【補正の内容】
【００１１】
第１の態様を参照し、第２の可能な実装方式では、Ｓｃｅｌｌで第２のワイヤレスネットワーク識別子をＵＥに送信する上記ステップが、詳細には、Ｓｃｅｌｌで、第１のダウンリンク共有チャネルを使用して第２のワイヤレスネットワーク識別子をＵＥに送信するステップであって、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間若しくはＳｃｅｌｌの共通探索空間である、ステップ、又は、
Ｓｃｅｌｌで、第２のダウンリンク共有チャネルを使用して第２のワイヤレスネットワーク識別子をＵＥに送信にするステップであって、第２のダウンリンク共有チャネルに対応するリソースは、Ｓｃｅｌｌのセル識別子に対応する事前設定されたリソースである、ステップ、又は、
Ｓｃｅｌｌで、第３のダウンリンク共有チャネルを使用して、第２のワイヤレスネットワーク識別子と、第２のワイヤレスネットワーク識別子を識別するために使用される事前設定されたシーケンスとをＵＥに送信するステップを含む。
【手続補正５】
【補正対象書類名】明細書
【補正対象項目名】００１２
【補正方法】変更
【補正の内容】
【００１２】
第２の態様によると、ユーザ機器ＵＥがスペクトルの使用を判定する方法が提供され、この方法は、
プライマリセル（Ｐｃｅｌｌ）でネットワーク側装置から送信される第１のワイヤレスネットワーク識別子を受信し、セカンダリセル（Ｓｃｅｌｌ）でネットワーク側装置から送信される第２のワイヤレスネットワーク識別子を探索するステップであって、Ｐｃｅｌｌで使用されるキャリアは非共有スペクトルのキャリアであり、Ｓｃｅｌｌで使用されるキャリアは共有スペクトルのキャリアである、ステップと、
Ｓｃｅｌｌでネットワーク側装置から送信される第２のワイヤレスネットワーク識別子が受信され、且つ、第２のワイヤレスネットワーク識別子が、Ｐｃｅｌｌでネットワーク側装置から送信される第１のワイヤレスネットワーク識別子と一致すると判定する場合、ネットワーク側装置との通信をＳｃｅｌｌで行うことができると判定するステップと、
Ｓｃｅｌｌでネットワーク側装置から送信される第２のワイヤレスネットワーク識別子が受信されない場合、又は、Ｓｃｅｌｌでネットワーク側装置から送信される第２のワイヤレスネットワーク識別子が受信され、且つ、第２のワイヤレスネットワーク識別子が、Ｐｃｅｌｌでネットワーク側装置から送信される第１のワイヤレスネットワーク識別子と一致しないと判定する場合、ネットワーク側装置との通信をＳｃｅｌｌで行うことができないと判定するステップとを含む。
【手続補正６】
【補正対象書類名】明細書
【補正対象項目名】００１３
【補正方法】変更
【補正の内容】
【００１３】
第２の態様を参照し、第１の可能な実装方式では、ネットワーク側装置との通信をＳｃｅｌｌで行うことができると判定した場合に、上記方法は、Ｓｃｅｌｌの信号測定結果をネットワーク側装置にフィードバックするステップをさらに含むか、又は、
ネットワーク側装置との通信をＳｃｅｌｌで行うことができないと判定した場合、上記方法は、
Ｓｃｅｌｌの信号測定結果をネットワーク側装置にフィードバックすることを省略するか、若しくは、ネットワーク側装置に、Ｓｃｅｌｌの信号測定結果が無効であることを示すフィードバック情報をフィードバックするか、若しくは、ネットワーク側装置に、Ｓｃｅｌｌのセル識別子の変更を命じるフィードバック情報をフィードバックするステップをさらに含む。
【手続補正７】
【補正対象書類名】明細書
【補正対象項目名】００１４
【補正方法】変更
【補正の内容】
【００１４】
第２の態様を参照し、第２の可能な実装方式では、セカンダリセルＳｃｅｌｌでネットワーク側から送信される第２のワイヤレスネットワーク識別子を探索するステップが、詳細には、第１のダウンリンク共有チャネルを使用して、Ｓｃｅｌｌでネットワーク側装置から送信される第２のワイヤレスネットワーク識別子を探索するステップであって、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間若しくはＳｃｅｌｌの共通探索空間である、ステップ、又は、
第２のダウンリンク共有チャネルを使用して、Ｓｃｅｌｌでネットワーク側装置から送信される第２のワイヤレスネットワーク識別子を探索するステップであって、第２のダウンリンク共有チャネルに対応するリソースは、Ｓｃｅｌｌのセル識別子に対応する事前設定されたリソースである、ステップ、又は、
第３のダウンリンク共有チャネルで、記憶されている事前設定されたシーケンスに従って、Ｓｃｅｌｌでネットワーク側装置から送信される第２のワイヤレスネットワーク識別子を探索するステップを含む。
【手続補正８】
【補正対象書類名】明細書
【補正対象項目名】００１５
【補正方法】変更
【補正の内容】
【００１５】
第３の態様によると、ネットワーク側装置がスペクトルにおけるセル識別子を判定する方法が提供され、この方法は、
時間整合を行うことを判定した場合に、整合システム時間を、記憶されているＭ個の時間区間に従って時間区間内の時間位置と合わせ、記憶されているＭ個の時間区間の循環順序に従って、事前設定された循環順序でＭ個の時間区間がシステム時間に対応する関係を確立するステップであって、Ｍは１より大きい整数である、ステップと、
ユーザ機器ＵＥとの通信を共有スペクトルのキャリアでＣｅｌｌ−ＩＤを使用して行う必要があると判定した場合、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでＵＥとの通信を行うステップであって、異なるワイヤレスネットワーク事業者ごとに、同じ時間区間に対応するＣｅｌｌ−ＩＤは異なる、ステップとを含む。
【手続補正９】
【補正対象書類名】明細書
【補正対象項目名】００１９
【補正方法】変更
【補正の内容】
【００１９】
第４の態様によると、ユーザ機器（ＵＥ）がスペクトルにおけるセル識別子Ｃｅｌｌ−ＩＤを判定する方法が提供され、この方法は、
時間整合を行うことを判定した場合に、整合システム時間を、記憶されているＭ個の時間区間のうちの時間区間内の時間位置と合わせ、記憶されているＭ個の時間区間の循環順序に従って、事前設定された循環順序でＭ個の時間区間がシステム時間に対応する関係を確立するステップであって、Ｍは１より大きい整数である、ステップと、
ネットワーク側装置との通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでネットワーク側装置との通信を行うステップとを含む。
【手続補正１０】
【補正対象書類名】明細書
【補正対象項目名】００２０
【補正方法】変更
【補正の内容】
【００２０】
第４の態様を参照し、第１の可能な実装方式では、時間整合を行うことを判定するステップが、詳細には、
ネットワーク側装置がＵＥとの通信を共有スペクトルのキャリアでＣｅｌｌ−ＩＤを使用して行う必要があると判定した場合にネットワーク側装置から送信されるＣｅｌｌ−ＩＤ及び時間位置ｔを受信した場合、又は、タイミングの瞬間が到達した場合にネットワーク側装置から送信されるＣｅｌｌ−ＩＤ及び時間位置ｔを受信した場合、又は、ＵＥの要求に応じてネットワーク側装置から送信されるＣｅｌｌ−ＩＤ及び時間位置ｔを受信した場合、又は、ネットワーク側装置がＵＥに接続することを判定した場合にネットワーク側装置から送信されるＣｅｌｌ−ＩＤ及び時間位置ｔを受信した場合に、時間整合を行うことを判定するステップを含み、
整合システム時間を、記憶されているＭ個の時間区間のうちの時間区間内の時間位置と合わせるステップが、詳細には、
記憶されているＭ個の時間区間とＣｅｌｌ−ＩＤとの間の対応関係に従って、受信されたＣｅｌｌ−ＩＤに対応する時間区間を判定するステップと、
整合システム時間を、判定された時間区間内の時間位置ｔと合わせるステップとを含む。
【手続補正１１】
【補正対象書類名】明細書
【補正対象項目名】００２１
【補正方法】変更
【補正の内容】
【００２１】
第５の態様によると、ネットワーク側装置が提供され、この装置は、
プライマリセル（Ｐｃｅｌｌ）で、第１のワイヤレスネットワーク識別子をＵＥに送信するように構成された第１の送信部であって、Ｐｃｅｌｌで使用されるキャリアは、非共有スペクトルのキャリアである、第１の送信部と、
セカンダリセル（Ｓｃｅｌｌ）で、第１のワイヤレスネットワーク識別子と同じ第２のワイヤレスネットワーク識別子をＵＥに送信し、それにより、ＵＥが、ＵＥがネットワーク側装置とＳｃｅｌｌで通信することができるかどうかを判定するように構成された第２の送信部であって、Ｓｃｅｌｌで使用されるキャリアは共有スペクトルのキャリアであり、第１のワイヤレスネットワーク識別子／第２のワイヤレスネットワーク識別子は１つのワイヤレスネットワーク事業者を一意に識別する、第２の送信部とを備える。
【手続補正１２】
【補正対象書類名】明細書
【補正対象項目名】００２２
【補正方法】変更
【補正の内容】
【００２２】
第５の態様を参照し、第１の可能な実装方式では、装置は、第１のワイヤレスネットワーク識別子がＰｃｅｌｌでＵＥに送信され、第２のワイヤレスネットワーク識別子がＳｃｅｌｌでＵＥに送信された後、ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合には、ＵＥに対してリソース構成及びデータスケジューリングを行うことを省略するか、又はＳｃｅｌｌのセル識別子を変更するように構成されたスケジューリング中止部と、
第１のワイヤレスネットワーク識別子がＰｃｅｌｌでＵＥに送信され、第２のワイヤレスネットワーク識別子がＳｃｅｌｌでＵＥに送信された後、ＵＥから返信されるとともに、Ｓｃｅｌｌの信号測定結果を含んでいるフィードバック情報が受信されると、Ｓｃｅｌｌの信号測定結果に従って、ＵＥに対してリソース構成及びデータスケジューリングを行うように構成されたスケジューリング部とをさらに備える。
【手続補正１３】
【補正対象書類名】明細書
【補正対象項目名】００２４
【補正方法】変更
【補正の内容】
【００２４】
第６の態様によると、スペクトルの使用を判定するユーザ機器ＵＥが提供され、このＵＥは、
プライマリセル（Ｐｃｅｌｌ）でネットワーク側装置から送信される第１のワイヤレスネットワーク識別子を受信し、セカンダリセル（Ｓｃｅｌｌ）でネットワーク側装置から送信される第２のワイヤレスネットワーク識別子を探索するように構成された探索部であって、Ｐｃｅｌｌで使用されるキャリアは非共有スペクトルのキャリアであり、Ｓｃｅｌｌで使用されるキャリアは共有スペクトルのキャリアである、探索部と、
Ｓｃｅｌｌでネットワーク側装置から送信される第２のワイヤレスネットワーク識別子が受信され、且つ、第２のワイヤレスネットワーク識別子が、Ｐｃｅｌｌでネットワーク側装置から送信される第１のワイヤレスネットワーク識別子と一致すると判定する場合、ネットワーク側装置との通信をＳｃｅｌｌで行うことができると判定するように構成された第１の判定部と、
Ｓｃｅｌｌでネットワーク側装置から送信される第２のワイヤレスネットワーク識別子が受信されない場合、又はＳｃｅｌｌでネットワーク側装置から送信される第２のワイヤレスネットワーク識別子が受信され、且つ、第２のワイヤレスネットワーク識別子が、Ｐｃｅｌｌでネットワーク側装置から送信される第１のワイヤレスネットワーク識別子と一致しないと判定する場合、ネットワーク側装置との通信をＳｃｅｌｌで行うことができないと判定するように構成された第２の判定部とを備える。
【手続補正１４】
【補正対象書類名】明細書
【補正対象項目名】００２５
【補正方法】変更
【補正の内容】
【００２５】
第６の態様を参照し、第１の可能な実装方式では、上記ＵＥは、
ネットワーク側装置との通信をＳｃｅｌｌで行うことができると判定した場合、Ｓｃｅｌｌの信号測定結果をネットワーク側装置にフィードバックするように構成された第１のフィードバック部、又は、
ネットワーク側装置との通信をＳｃｅｌｌで行うことができないと判定した場合、Ｓｃｅｌｌの信号測定結果をネットワーク側装置にフィードバックすることを省略するか、又は、ネットワーク側装置に、Ｓｃｅｌｌの信号測定結果が無効であることを示すフィードバック情報をフィードバックするか、又は、ネットワーク側装置に、Ｓｃｅｌｌのセル識別子の変更を命じるフィードバック情報をフィードバックするように構成された第２のフィードバック部をさらに備える。
【手続補正１５】
【補正対象書類名】明細書
【補正対象項目名】００２６
【補正方法】変更
【補正の内容】
【００２６】
第６の態様を参照し、第２の可能な実装方式では、探索部が、第１のダウンリンク共有チャネルを使用して、Ｓｃｅｌｌでネットワーク側装置から送信される第２のワイヤレスネットワーク識別子を探索するように構成され、第１のダウンリンク共有チャネルに対応するスケジューリング情報の伝送チャネルは、制御チャネルの第１の共通探索空間にあり、制御チャネルの第１の共通探索空間は、Ｐｃｅｌｌの共通探索空間若しくはＳｃｅｌｌの共通探索空間であるか、又は、
探索部が、詳細には、第２のダウンリンク共有チャネルを使用して、Ｓｃｅｌｌでネットワーク側装置から送信される第２のワイヤレスネットワーク識別子を探索するように構成され、第２のダウンリンク共有チャネルに対応するリソースは、Ｓｃｅｌｌのセル識別子に対応する事前設定されたリソースであるか、又は、
探索部が、詳細には、第３のダウンリンク共有チャネルで、記憶されている事前設定されたシーケンスに従って、Ｓｃｅｌｌでネットワーク側装置から送信される第２のワイヤレスネットワーク識別子を探索するように構成される。
【手続補正１６】
【補正対象書類名】明細書
【補正対象項目名】００３１
【補正方法】変更
【補正の内容】
【００３１】
第８の態様によると、ユーザ機器ＵＥが提供され、このＵＥは、
時間整合を行うことを判定した場合に、整合システム時間を、記憶されているＭ個の時間区間のうちの時間区間内の時間位置と合わせ、記憶されているＭ個の時間区間の循環順序に従って、事前設定された循環順序でＭ個の時間区間がシステム時間に対応する関係を確立するように構成された時間整合部であって、Ｍは１より大きい整数である、時間整合部と、
ネットワーク側装置との通信を共有スペクトルのキャリアでＣｅｌｌ−ＩＤを使用して行う必要があると判定した場合に、確立された、事前設定された循環順序でＭ個の時間区間がシステム時間に対応する関係に従って、現在のシステム時間に対応する時間区間を判定し、記憶されているＭ個の時間区間とＣｅｌｌ−ＩＤとの間の対応関係に従って、当該時間区間に対応するＣｅｌｌ−ＩＤを判定し、判定されたＣｅｌｌ−ＩＤを使用して共有スペクトルのキャリアでネットワーク側装置との通信を行うように構成された通信部とを備える。
【手続補正１７】
【補正対象書類名】明細書
【補正対象項目名】００３２
【補正方法】変更
【補正の内容】
【００３２】
第８の態様を参照し、第１の可能な実装方式では、ネットワーク側装置がＵＥとの通信を共有スペクトルのキャリアでＣｅｌｌ−ＩＤを使用して行う必要があると判定した場合にネットワーク側装置から送信されるＣｅｌｌ−ＩＤ及び時間位置ｔを受信した場合、又は、タイミングの瞬間が到達した場合にネットワーク側装置から送信されるＣｅｌｌ−ＩＤ及び時間位置ｔを受信した場合、又は、ＵＥの要求に応じてネットワーク側装置から送信されるＣｅｌｌ−ＩＤ及び時間位置ｔを受信した場合、又は、ネットワーク側装置がＵＥに接続することを判定した場合にネットワーク側装置から送信されるＣｅｌｌ−ＩＤ及び時間位置ｔを受信した場合に、時間整合部が、時間整合を行うことを判定し、記憶されているＭ個の時間区間とＣｅｌｌ−ＩＤとの間の対応関係に従って、受信されたＣｅｌｌ−ＩＤに対応する時間区間を判定し、整合システム時間を、判定された時間区間内の時間位置ｔと合わせる。
【手続補正１８】
【補正対象書類名】明細書
【補正対象項目名】００３３
【補正方法】変更
【補正の内容】
【００３３】
本発明により提供されるスペクトルの使用を指示及び判定する方法、並びに装置を使用することにより、具体的には下記の有益な効果が実現される。本発明では、ネットワーク側装置が、ＰｃｅｌｌとＳｃｅｌｌで同じワイヤレスネットワーク識別子を送信するため、ＵＥは、ＵＥがＳｃｅｌｌで共有スペクトルのキャリアを使用してネットワーク側装置と通信することができるかどうかを判定することができ、ＵＥは、２つのワイヤレスネットワーク識別子の受信状況に従って、異なる事業者が共有スペクトルで同じＣｅｌｌ−ＩＤを使用しているかどうかを判定し、判定の結果をネットワーク側装置にフィードバックすることができる。これにより、異なる事業者が同じ地理的領域の共有スペクトルで同じＣｅｌｌ−ＩＤを持つセルを計画したために生じる無効な又は誤ったスケジューリング結果に起因してネットワークによって実行されるその後の混乱したユーザデータスケジューリングの問題を回避する。
【手続補正１９】
【補正対象書類名】明細書
【補正対象項目名】００９７
【補正方法】変更
【補正の内容】
【００９７】
ネットワーク側とＵＥ側は、システム時間を時間区間と合わせる方式を取り決めることができ、又は、ネットワーク側とＵＥ側は、Ｍ個の時間区間とＭ個の時間区間の循環順序だけを取り決め、ネットワーク側がシステム時間を時間区間と合わせる方式を判定した後に、ネットワーク側が、下記の方式のいずれかで、時間整合をどのように実施するかをＵＥに通知し、それによりＵＥは、現在のシステム時間に対応する時間区間と、その時間区間における現在のシステム時間の位置とを判定して、次の時間区間への切り替えが行われる時間を事前に知り、また各時間区間に対応するＣｅｌｌ−ＩＤを判定し、ネットワーク側がどの時間にどのＣｅｌｌ−ＩＤを使用するかを把握する。
【手続補正２０】
【補正対象書類名】明細書
【補正対象項目名】０１１１
【補正方法】変更
【補正の内容】
【０１１１】
方式３
ネットワーク側がＵＥに接続することを判定した場合にネットワーク側から送信されるＣｅｌｌ−ＩＤ及び時間位置ｔが受信された場合に、時間整合を行うことが判定され、受信されたＣｅｌｌ−ＩＤに対応する時間区間が、記憶されているＭ個の時間区間とＣｅｌｌ−ＩＤとの間の対応関係に従って判定され、整合システム時間が、判定された時間区間内の時間位置ｔと合わせられる。
【手続補正２１】
【補正対象書類名】明細書
【補正対象項目名】０１２０
【補正方法】変更
【補正の内容】
【０１２０】
任意に、上記装置はさらに、第１のワイヤレスネットワーク識別子がＰｃｅｌｌでＵＥに送信され、第２のワイヤレスネットワーク識別子がＳｃｅｌｌでＵＥに送信された後、ＵＥから返信されるとともに、Ｓｃｅｌｌの信号測定結果を含んでいるフィードバック情報が受信されないと判定した場合、又は、ＵＥから返信されるとともに、Ｓｃｅｌｌの信号測定結果が無効であることを示すフィードバック情報が受信されたと判定した場合、又は、ＵＥから返信されるとともに、Ｓｃｅｌｌのセル識別子の変更を命じるフィードバック情報が受信されたと判定した場合には、ＵＥに対してリソース構成及びデータスケジューリングを行うことを省略するか、又はＳｃｅｌｌのセル識別子を変更するように構成されたスケジューリング中止部を備える。
【手続補正２２】
【補正対象書類名】明細書
【補正対象項目名】０１５９
【補正方法】変更
【補正の内容】
【０１５９】
言うまでもなく、当業者は、本発明の実施形態の範囲から逸脱することなく、本発明の実施形態に様々な改変及び変形を加えることができる。本発明は、添付の特許請求の範囲及びそれと同等の技術によって定義される保護の範囲に該当することを条件として、これらの改変及び変形を包含することを意図する。
【国際調査報告】
2017505041.tif 000019
2017505041.tif 000020
2017505041.tif 000021
2017505041.tif 000022
2017505041.tif 000023
2017505041.tif 000024